(57)【特許請求の範囲】
【請求項１】
情報データが記録されている記録媒体から記録情報の再生を行う情報記録再生装置であって、
前記記録媒体にはパイロット信号が記録されている少なくとも１のパイロットトラックと、前記情報データが記録されている複数の情報データトラックとが隣接して記録形成されており、
前記トラック幅方向に配列されておりかつ互いに前記トラック幅の１／２以下のトレース幅を有する複数の読取手段と、
前記読取手段各々によって読み取られた読取信号各々から前記パイロット信号を検出するパイロット信号検出手段と、
前記パイロット信号検出手段による検出結果に応じて前記読取手段各々と前記情報データトラック各々との対応関係を判定するトラック判定手段と、
前記読取信号各々の中から前記トラック判定手段による判定結果に応じた読取信号を順次選択してこれを前記情報データトラック各々に対応した読取信号として出力する手段と、を有することを特徴とする情報記録再生装置。
【請求項２】
前記トラック幅は前記トレース幅のＮ倍（Ｎは２以上の整数）であり、
前記トラック判定手段は、前記パイロット信号検出手段による検出結果に基づいて前記パイロット信号の読み取りを行った全ての前記読取手段を選出し、この選出した読取手段の内で最も端に配置されている読取手段の隣の読取手段から（Ｎ−１）おきに配置されている読取手段各々によって読み取られた読取信号を順次選択してこれを各情報データトラックから読み取られた読取信号であると判定することを特徴とする請求項１記載の情報記録再生装置。
【請求項３】
前記読取手段の数は、前記記録媒体に記録形成されている前記情報データトラックの数と前記パイロットトラックの数との総和の２倍よりも大であることを特徴とする請求項１記載の情報記録再生装置。
【請求項４】
前記パイロット信号は、前記情報データに対応した記録信号よりも長い波長の周波数信号であることを特徴とする請求項１記載の情報記録再生装置。
【請求項５】
情報データが記録されている記録媒体から記録情報の再生を行う情報記録再生装置であって、
前記記録媒体には、第１及び第２パイロット信号が夫々記録されている２つのパイロットトラックと、前記パイロットトラックに挟まれておりかつ情報データが記録されている複数の情報データトラックとが記録形成されており、
前記トラック幅の方向に一列に隙間なく配列されておりかつ互いに前記トラック幅の１／２以下のトレース幅を有する複数の読取手段と、
前記読取手段各々によって読み取られた読取信号各々から前記第１パイロット信号及び第２パイロット信号を検出するパイロット信号検出手段と、
前記パイロット信号検出手段によって検出された前記第１及び第２パイロット信号各々に対応した前記読取手段各々の配置間隔に基づいて前記情報データトラックのトラック幅を求めるトラックピッチ算出手段と、
前記トラックピッチ算出手段によって求められた前記トラック幅に基づいて前記読取信号各々の中から前記情報データトラック各々に対応した読取信号を順次選択してこれを前記情報データトラック各々に対応した読取信号として出力する手段と、を有することを特徴とする情報記録再生装置。
【発明の詳細な説明】
【０００１】
【発明の属する技術分野】
本発明は、記録媒体への情報記録、及びかかる記録媒体からの情報再生を為す情報記録再生装置に関する。
【０００２】
【従来の技術】
磁気テープを記録媒体として用いた磁気記録再生装置において、高密度記録化を目的とした種々の技術開発が行われている。この際、かかる磁気テープの面記録密度は、磁気テープのテープ走行方向における記録密度（線記録密度）と、テープ走行方向に直交する幅方向の記録密度（トラック密度）との積として表される。
【０００３】
ここで、コンパクトカセットデッキ、あるいは、ディジタルコンパクトカセットデッキ（以下、ＤＣＣと称する）の如き、固定型の磁気ヘッドを搭載した磁気記録再生装置においては、一般的に、テープ上に形成されるトラック数と磁気ヘッド数とが等しい構成となっている。尚、ここでいう磁気ヘッドの数とは、１記録ヘッドと１再生ヘッドとが組み合わされてなるコンビネーションヘッドの数である。
【０００４】
図１は、ＤＣＣデッキの磁気ヘッド部と、かかる磁気ヘッド部によって磁気テープの記録面上に形成された記録トラックとの対応関係を示す図である。
図１において、ＤＣＣデッキの磁気ヘッド部は、記録用ヘッド部６及び再生用ヘッド部８からなる。磁気テープ７の記録面は、デジタルデータ記録用のセクタＡと、アナログデータ記録用のセクタＢとに分かれている。この際、かかるセクタＢは、アナログ記録式のコンパクトカセットテープとの互換性を取るために設けられたものである。
【０００５】
記録用ヘッド部６には、磁気テープ７のセクタＡに対して情報記録を行う為の９個の誘導型の記録用磁気ヘッドＷ０〜Ｗ８が備えられている。
一方、再生用ヘッド部８には、かかる記録トラックＴ０〜Ｔ８各々から、記録情報の読み取りを行う再生用磁気ヘッドＲ０〜Ｒ８が備えられている。
記録用磁気ヘッドＷ０〜Ｗ８各々の幅τ1は、185μmであり、夫々 195μmの間隔をもって配置されている。これら磁気ヘッドＷ０〜Ｗ８により、夫々のトラック幅が上記τ1と同一幅の185μmであり、かつそのトラック幅が195μmなるトラックＴ０〜Ｔ８が、図１に示されるが如く、磁気テープ７のセクタＡ上に記録形成されるのである。一方、再生用ヘッド部８における磁気ヘッドＲ０〜Ｒ８各々の幅τ2は、70μmであり、夫々、195μmの間隔をもって配置されている。
【０００６】
このように、トラック幅τ1に対して再生用磁気ヘッドＲ０〜Ｒ８各々の幅τ2を狭くしている。よって、再生用磁気ヘッドＲ０〜Ｒ８各々の中心位置が、記録トラックＴ０〜Ｔ８各々の中心位置に対してテープ幅方向に多少ずれていても、各記録トラックからの正常な情報再生が可能となるのである。
例えば、記録トラックＴ０の中心位置に対して、再生用磁気ヘッドＲ０の中心位置がテープ幅方向に（τ1−τ2）／２だけずれていたとしても、この再生用磁気ヘッドＲ０は、記録トラックＴ０上をトレースしているのである。よって、再生用磁気ヘッド各々と記録トラック各々との相対位置が上記（τ1−τ2）／２よりも小となるように磁気テープ７に対してテープ走行ガイドを設けておけば、トラッキングサーボをかけずとも各記録トラックからの正常な情報再生が可能となるのである。
【０００７】
ここで、かかる磁気テープ７に記録する記録トラックの数を増やしたい場合には、記録用磁気ヘッド各々の幅τ1を狭くし、その分、記録トラックの数を増やす。  しかしながら、記録用磁気ヘッド各々の幅が狭くなり、それにより記録形成される記録トラック各々の幅が狭くなると、上記テープ走行ガイドのみでは、再生用磁気ヘッド各々と記録トラック各々との相対位置合わせが困難となり、トラックずれが生じてしまう。
【０００８】
よって、上記ＤＣＣデッキの如き、固定型の記録ヘッドを搭載した磁気記録再生装置においては、むやみに記録トラックの数を増加させることが出来ないという問題を抱えていた。
【０００９】
【発明が解決しようとする課題】
本発明は、かかる問題を解決せんとして為されたものであり、トラッキングサーボを必要とすることなく、多数の記録トラックから正常に情報再生を為すことが出来る情報記録再生装置を提供することを目的とする。
【００１０】
【課題を解決するための手段】
本発明による情報記録再生装置は、情報データが記録されている記録媒体から記録情報の再生を行う情報記録再生装置であって、前記記録媒体にはパイロット信号が記録されている少なくとも１のパイロットトラックと、前記パイロットトラックと同一のトラック幅であり前記情報データが記録されている複数の情報データトラックとが隣接して記録形成されており、前記トラック幅の方向に一列に隙間なく配列されておりかつ前記トラック幅の１／２以下のトレース幅を有する複数の読取手段と、前記読取手段各々によって読み取られた読取信号各々から前記パイロット信号を検出するパイロット信号検出手段とトラッキングサーボを必要とすることなく、多数の記録トラックから正常に情報再生を為すことができる、前記パイロット信号検出手段による検出結果に応じて前記読取手段各々と前記情報データトラック各々との対応関係を判定するトラック判定手段と、前記読取信号各々の中から前記トラック判定手段による判定結果に応じた読取信号を順次選択してこれを前記情報データトラック各々に対応した読取信号として出力する手段とを有することを特徴とする。
【００１１】
【発明の実施の形態】
図２は、本発明による情報記録再生装置の構成を示す図である。
図２に示されるが如く、本発明による情報記録再生装置は、記録媒体としての磁気テープ２４に情報データの記録を行う記録系１００、かかる磁気テープ２４から記録情報の再生を行う再生系２００、及び各種制御信号を発生してこれら記録系１００、再生系２００各々の制御を行う制御部３００から構成される。
【００１２】
先ず、記録系１００について説明する。
エラーコレクションエンコーダ１は、記録すべき情報データに対して例えばリードソロモン符号の如き誤り訂正符号化処理を行って得られた符号化情報データを変調ＳＹＮＣ挿入器２に供給する。この際、かかる情報データは、シリアル形態のディジタルデータである。変調ＳＹＮＣ挿入器２は、上記エラーコレクションエンコーダ１から供給された符号化情報データを例えば８−１０変調し、更にそのフレーム毎に基準信号を付加して得られた変調データを記録電流設定回路３に供給する。記録電流設定回路３は、かかる変調データに基づいて、後述する記録ヘッド２３を最適な電流値で駆動する為の記録データ信号を生成し、これをセレクタ４に供給する。セレクタ４は、ｎ個の出力端を有し、上記記録電流設定回路３から供給された記録データ信号を、これらｎ個の出力端のいずれかから選択的に出力する。
【００１３】
パイロット信号生成回路２０は、制御部３００からのパイロット信号記録開始指令に応じて、基準クロック発生回路１９にて発生した発振信号に基づく所定周波数のパイロット信号を生成し、これを記録電流設定回路２１に供給する。尚、かかるパイロット信号は、記録データ信号の波長の１０〜５０倍程度の周波数信号である。記録電流設定回路２１は、かかるパイロット信号に基づいて記録ヘッド２３を最適な電流値で駆動する為の記録パイロット信号を生成し、これを記録アンプ２２に供給する。記録アンプ２２は、上記セレクタ４のｎ個の出力端各々から供給された信号、及び上記記録パイロット信号を夫々所望に増幅し、これらを記録ヘッド２３に供給する。
【００１４】
図３は、上記セレクタ４、記録アンプ２２、記録ヘッド２３各々の詳細な構成の一例を示す図である。
図３に示されるが如く、セレクタ４は、上記記録電流設定回路３からの記録データ信号を選択的に出力するｎ個のスイッチＲＳ1〜ＲＳnから構成される。これらスイッチＲＳ1〜ＲＳnの各々は、制御部３００から供給される切換制御信号に応じて、夫々個別にＯＮ・ＯＦＦ制御される。スイッチＲＳ1〜ＲＳn各々の出力端ＯＵ1〜ＯＵnは、記録アンプ２２としてのアンプＷＡ1〜ＷＡnに夫々接続されている。アンプＷＡ1〜ＷＡn各々は、上記出力端ＯＵ1〜ＯＵn各々からの信号を所望に増幅して、夫々、記録ヘッド２３における磁気ヘッドＷＨ1〜ＷＨnに供給する。磁気ヘッドＷＨ1〜ＷＨnは、アンプＷＡ1〜ＷＡn各々からの信号を磁気テープ２４に記録して行くことにより、各々のトラック幅がＰTなるトラックＴ１〜Ｔｎを夫々形成して行く。一方、記録電流設定回路２１からの記録パイロット信号は、アンプＷＡ0によって所望に増幅されて磁気ヘッドＷＨ0に供給される。磁気ヘッドＷＨ0は、かかるアンプＷＡ0からの信号を磁気テープ２４に記録して行くことにより、図３に示されるが如きトラックＴ０を記録形成して行く。
【００１５】
図４は、制御部３００によって実施される記録系１００の動作フローを示す図である。又、図５は、かかる動作フローの実行によって為される記録動作の一例を示す図である。
尚、図５においては、１データブロック長が８ビット（Ｄ1〜Ｄ8）の記録データ信号を磁気テープ２４上のトラックＴ１〜Ｔ８に分散して記録する際の動作例を示す図である。
【００１６】
上記図４において、先ず、制御部３００は、記録開始指令をパイロット信号生成回路２０に供給する（ステップＳ１）。かかるステップＳ１の実行に応じて、記録ヘッド２３における磁気ヘッドＷＨ0は、図５の斜線部に示されるが如く、磁気テープ２４上のトラックＴ０に上記パイロット信号を記録して行く。次に、制御部３００は、初期の記録ヘッド番号を記録ヘッド番号ｉとして内蔵レジスタ（図示せぬ）に記憶する（ステップＳ２）。次に、制御部３００は、セレクタ４の各スイッチの内で上記内蔵レジスタに記憶されている記録ヘッド番号ｉにて示される番号のスイッチＲＳiをＯＮ状態にすべく、論理値"０"のＲＳiＯＮ信号を切換制御信号としてセレクタ４に供給する（ステップＳ３）。かかるステップＳ３の実行に応じて、磁気ヘッドＷＨiは、アンプＷＡiを介して供給されてきた信号を磁気テープ２４上のトラックＴiに記録する。次に、制御部３００は、記録ヘッド番号ｉが、"ｎ"と等しいか否かを判定する（ステップＳ４）。尚、かかる"ｎ"は、１つの情報データを記録する際に使用する総トラック数である。かかるステップＳ４において、記録ヘッド番号ｉが、"ｎ"とは等しくないと判定されると、制御部３００は、上記記録ヘッド番号ｉに"１"を加算したものを新たな記録ヘッド番号ｉとして上記内蔵レジスタに上書き記憶する（ステップＳ５）。かかるステップＳ５の終了後、制御部３００は、上記ステップＳ３の実行に戻って、上述した如き動作を繰り返し実行する。
【００１７】
ここで、上記ステップＳ２において記憶される初期の記録ヘッド番号を"１"、並びに、１つの情報データを記録する際に使用する総トラック数ｎを"８"とし、図５に示されるが如き記録データ信号がセレクタ４に供給されたとする。
この際、上記ステップＳ３の実行により、先ず、記録データ信号におけるデータブロック１中の第１ビットＤ11がセレクタ４に供給されている期間中には、論理値"０"のＲＳ1ＯＮ信号がセレクタ４に供給される。かかる動作に応じて磁気ヘッドＷＨ1は、図５に示されるが如く、磁気テープ２４上のトラックＴ１に対して上記第１ビットＤ11の論理値に対応した磁化記録を行う。ここで、記録ヘッド番号ｉは"１"であるので、ステップＳ４及びＳ５が実施されて、この記録ヘッド番号ｉは"２"にインクリメントされる。ここで、図５に示されるように、上記データブロック１中の第２ビットＤ12がセレクタ４に供給されると、ステップＳ３の実行に応じて、論理値"０"のＲＳ2ＯＮ信号がセレクタ４に供給される。かかる動作に応じて上記磁気ヘッドＷＨ1に代わり磁気ヘッドＷＨ2が、図５に示されるが如く、磁気テープ２４上のトラックＴ２に対して上記第２ビットＤ12の論理値に対応した磁化記録を行う。ここで、記録ヘッド番号ｉは"２"であるので、ステップＳ４及びＳ５が実施されて、この記録ヘッド番号ｉは"３"にインクリメントされる。ここで、図５に示されるように、上記データブロック１中の第３ビットＤ13がセレクタ４に供給されると、ステップＳ３の実行に応じて、論理値"０"のＲＳ3ＯＮ信号がセレクタ４に供給される。かかる動作に応じて上記磁気ヘッドＷＨ2に代わり磁気ヘッドＷＨ3が、図５に示されるが如く、磁気テープ２４上のトラックＴ３に対して上記第３ビットＤ13の論理値に対応した磁化記録を行う。以下同様に上記ステップＳ３〜Ｓ５が繰り返し実行されることにより、セレクタ４のスイッチＲＳ3〜スイッチＲＳ8が順次ＯＮ状態となり、データブロック１中の第４ビットＤ14〜第８ビットＤ18各々が図５に示されるが如くトラックＴ４〜Ｔ８に記録されて行く。
【００１８】
ここで上記ステップＳ４において、記録ヘッド番号ｉが、"ｎ"と等しくなったと判定されると、次に、制御部３００は、使用者から記録動作終了指令が発令されたか否かの判定を行う（ステップＳ６）。かかるステップＳ６において、記録動作終了指令が発令されていないと判定された場合、制御部３００は、上述した如きステップＳ２の実行に戻る。すなわち、記録ヘッド番号ｉが初期番号に設定し直されて、再び、トラックＴi〜Ｔnへの記録が為されるのである。例えば、図５においては、上記データブロック１の次にデータブロック２が供給されるので、このデータブロック２における第１ビットＤ21〜第８ビットＤ28各々が、上記データブロック１における第１ビットＤ11〜第８ビットＤ18と同様にトラックＴ1〜Ｔ8に順次記録されて行くのである。
【００１９】
一方、上記ステップＳ６において、記録動作終了指令が発令されたと判定されると、制御部３００は、このフローによる制御動作を終了する。
以上の如く、情報データに対応した記録データ信号が情報データトラックとしてのトラックＴi〜Ｔnに分散して記録されると共に、所定周波数からなるパイロット信号がパイロットトラックとしてのトラックＴ０に記録されるのである。
【００２０】
次に、上記図２における再生系２００について説明する。
再生ヘッド２５には、ｍ個のＭＲ（磁気抵抗）型のヘッドが設けられている。これらｍ個のＭＲ型のヘッドの各々は、磁気テープ２４から記録情報の読み取りを行って得られたｍ個の読取信号各々を再生アンプ２６に供給する。再生アンプ２６は、これらｍ個の読取信号を夫々所望に増幅して得られた増幅読取信号をセレクタ２９及びパイロット信号検出回路２７に供給する。
【００２１】
パイロット信号検出回路２７は、かかるｍ個の増幅読取信号に基づいて、再生ヘッド２５中におけるｍ個のヘッドの内のいずれのヘッドがパイロット信号を読み取ったかを検出し、この検出したヘッドに対応したパイロット検出信号をトラック判定回路２８に供給する。トラック判定回路２８は、かかるパイロット検出信号に基づいて、上記再生ヘッド２５中におけるｍ個のヘッド各々が、図３に示されるが如き磁気テープ上に記録形成されたトラックのいずれを読み取ったかを判定する。トラック判定回路２８は、かかる判定結果に応じた選択制御信号を生成してこれをセレクタ２９に供給する。セレクタ２９は、かかる選択制御信号に従って再生アンプ２６からのｍ個の増幅読取信号の内の１を選択し、これを時分割多重化読取信号としてＡ／Ｄ変換器１１に供給する。
【００２２】
Ａ／Ｄ変換器１１は、かかる時分割多重化読取信号をサンプリングしてディジタル値に変換しイコライザ１２に供給する。イコライザ１２は、かかるディジタル値における符号間干渉を補償すべく波形等化を行って得られた補償ディジタル値をＰＬＬ回路１３に供給する。ＰＬＬ回路１３は、かかる補償ディジタル値に基づいて、テープ速度変動による読取信号の周波数変化、及び位相変化に追従した再生クロック信号を生成する。復号回路１４は、かかる再生クロック信号のタイミングにて、上記補償ディジタル値に対して２値判定を行い、得られた２値信号を復調ＳＹＮＣ検出回路１５に供給する。復調ＳＹＮＣ検出回路１５は、かかる２値信号中からフレーム毎の基準信号の検出を行い、更に、この２値信号を８−１０復調して得られた復調データをエラーコレクションデコーダ１６に供給する。エラーコレクションデコーダ１６は、検出された基準信号に応じて、上記復調データに対して誤り訂正を行い、この訂正されたデータを再生データとして出力する。
【００２３】
図６は、かかる再生系２００における上記再生ヘッド２５、再生アンプ２６、パイロット信号検出回路２７、トラック判定回路２８、及びセレクタ２９の構成の一例を示す図である。
図６において、再生ヘッド２５には、上述した如きｍ個のＭＲ型の再生用ヘッドＭＲ1〜ＭＲmが設けられている。尚、これらヘッドＭＲ1〜ＭＲm各々の磁気テープ２４におけるトレース幅は、磁気テープ２４上に記録形成された各トラックのトラック幅ＰTの１／２である。これらヘッドＭＲ1〜ＭＲm各々は、互いに隙間なくテープ幅方向に一列に配列されている。つまり、ヘッドＭＲ1〜ＭＲmの数は、上述した如き記録用の磁気ヘッドＷＨ1〜ＷＨnの数よりも大であり、両者の数の大小関係は、
【００２４】
【数１】
ｍ＞（２・ｎ＋２）
となる。
これらヘッドＭＲ1〜ＭＲm各々の読み取り面が磁気テープ２４の記録面をトレースすると、ヘッドＭＲ1〜ＭＲm各々の出力端には記録データ信号に対応した電圧が発生する。
【００２５】
再生ヘッド２５に設けられている差動アンプＣＡ1〜ＣＡmの各々は、ヘッドＭＲ1〜ＭＲm各々の出力の電圧差分を求めこれを読取信号Ｒ1〜Ｒmとして再生アンプ２６におけるアンプＲＡ1〜ＲＡmに供給する。アンプＲＡ1〜ＲＡm各々は、読取信号Ｒ1〜Ｒm各々を所望に増幅して増幅読取信号ＺＲ1〜ＺＲmを夫々得る。
バンドパスフィルタＢＡ1〜ＢＡi各々は、増幅読取信号ＺＲ1〜ＺＲi各々からパイロット信号帯域の信号を抽出して、夫々パイロット信号検波回路Ｐ1〜Ｐi各々に供給する。尚、これら増幅読取信号ＺＲ1〜ＺＲiの各々は、上記増幅読取信号ＺＲ1〜ＺＲmの内で、パイロット信号が記録されているトラックＴ０をトレースすると予測される全てのヘッドＭＲ1〜ＭＲiからのものである。又、かかるバンドパスフィルタＢＡ1〜ＢＡi各々による抽出周波数帯域は、磁気テープ２４のテープ走行速度に依存したものとなる。
【００２６】
パイロット信号検波回路Ｐ1〜Ｐi各々は、バンドパスフィルタＢＡ1〜ＢＡiから供給された信号から、夫々パイロット信号の検波を行って得られた検波信号をコンパレータＣＢ1〜ＣＢiに供給する。コンパレータＣＢ1〜ＣＢiの各々は、パイロット信号検波回路Ｐ1〜Ｐiからの検波信号が所定レベルＶ1よりも大なる場合には、例えば、論理値"１"のパイロット検出信号ＰＬを発生する一方、所定レベルＶ1よりも小なる場合には論理値"０"のパイロット検出信号ＰＬを発生する。コンパレータＣＢ1〜ＣＢiの各々は、上述の如き論理値を有するパイロット検出信号ＰＬ1〜ＰＬi各々をトラック判定回路２８に供給する。
【００２７】
尚、上記バンドパスフィルタＢＡ1〜ＢＡi、パイロット信号検波回路Ｐ1〜Ｐi、及びコンパレータＣＢ1〜ＣＢiによって、上記パイロット信号検出回路２７が形成される。
トラック判定回路２８は、先ず、かかるパイロット信号検出回路２７から供給されたパイロット検出信号ＰＬ1〜ＰＬi各々の信号論理値に基づいて、かかるパイロット信号の読み取りを行った全てのヘッドを選出する。次に、この選出したヘッドの内で最も端（トラックＴ１側）に配置されているヘッドの隣のヘッドから（Ｎ−１）おきに配置されている読取手段各々によって読み取られた読取信号を順次選択してこれをトラックＴ１〜Ｔｎから読み取られた読取信号であると判定する。尚、上記Ｎ（２以上の整数）は、ヘッド１つあたりのトレース幅を"１"とした場合のトラック幅である。
【００２８】
トラック判定回路２８は、上記判定結果に応じた選択制御信号を生成してこれをセレクタ２９に供給する。
一方、バンドパスフィルタＢＢ1〜ＢＢm各々は、上記増幅読取信号ＺＲ1〜ＺＲmから夫々情報データ帯域の信号を抽出したものを読取情報データ信号としてセレクタ２９の入力端ＩＮ1〜ＩＮmの各々に供給する。尚、かかるバンドパスフィルタＢＢ1〜ＢＢm各々による抽出周波数帯域は、磁気テープ２４のテープ走行速度に依存したものとなる。セレクタ２９は、上記トラック判定回路２８から供給された選択制御信号に従って、入力端ＩＮ1〜ＩＮmの内から１を選択し、この選択した入力端ＩＮに供給された信号をアンプＡＰに供給する。アンプＡＰは、セレクタ２９によって選択された信号を所望に増幅し、これを時分割多重化読取信号として図２に示されるＡ／Ｄ変換器１１に供給する。
【００２９】
次に、上記トラック判定回路２８の動作について説明する。
図７は、再生動作時におけるトラック判定回路２８の動作フローを示す図である。
図７において、トラック判定回路２８内に設けられている制御回路（図示せぬ）は、先ず、図６に示されるコンパレータＣＢ1〜ＣＢi各々からのパイロット検出信号ＰＬ1〜ＰＬiの内で、論理値"１"のパイロット検出信号ＰＬの取り込みを行う（ステップＳ７）。次に、かかる制御回路は、この取り込んだパイロット検出信号ＰＬの信号番号の内で最も大なる信号番号をレジスタＫ（図示せぬ）に記憶させる（ステップＳ８）。例えば、取り込んだパイロット検出信号がＰＬ3及びＰＬ4である場合には、"４"をレジスタＫに記憶させるのである。次に、制御回路は、レジスタＨ（図示せぬ）に読取トラック番号としての"１"を記憶させると共に、上記レジスタＫの記憶内容に１を加算したものを、このレジスタＫに上書きする（ステップＳ９）。この際、かかるレジスタＫに記憶されている数値が、ヘッドＭＲ1〜ＭＲm中の読取ヘッド番号を示すものとなる。次に、制御回路は、かかるレジスタＫに記憶されている数値にて示される番号に対応した入力端ＩＮを選択させるべき選択制御信号をセレクタ２９に供給する（ステップＳ１０）。次に、制御回路は、上記レジスタＨに記憶されている読取トラック番号が、"ｔ"と等しいか否かを判定する（ステップＳ１１）。尚、"ｔ"とは、１つの情報データが幾つのトラックに分散して記録されているかを示すトラック数である。かかるステップＳ１１において、レジスタＨに記憶されている読取トラック番号が、"ｔ"と等しくないと判定された場合、制御回路は、上記レジスタＫの記憶内容に２を加算したものを、このレジスタＫに上書きすると共に、上記レジスタＨの記憶内容に１を加算したものを、このレジスタＨに上書きする（ステップＳ１２）。かかるステップＳ１２の実行後、制御回路は、上述した如きステップＳ１０の実行に戻る。一方、かかるステップ１１において、レジスタＨに記憶されている読取トラック番号が、"ｔ"と等しいと判定された場合、制御回路は、次に、図２に示される制御部３００から再生動作終了指令が発令されたか否かの判定を行う（ステップＳ１３）。かかるステップＳ１３において、再生動作終了指令が発令されていないと判定された場合、制御回路は、上述した如きステップＳ７の実行に戻る。一方、ステップＳ１３において、再生動作終了指令が発令されたと判定された場合、制御回路は、この動作フローを抜けてかかる動作を終了する。
【００３０】
次に、上述した如き動作によって為される磁気テープ２４からの情報読み取り動作の一例を、図４、図８及び図９を参照しつつ説明する。
尚、図８は、再生ヘッド２５に設けられているヘッドＭＲ1〜ＭＲm各々が、磁気テープ２４上の各トラックＴ０、Ｔ１、Ｔ２・・・Ｔｎ各々から記録情報を読み取る際の位置関係の一例（状態(ａ)〜状態(ｄ)）を示す図である。この際、図８に示されている破線は、繋ぎ録りの開始時点を示すものである。又、図８に示されているトラックＴ０には、斜線部に示されるが如きパイロット信号が予め記録されているものとする。
【００３１】
先ず、図８の状態（ａ）においては、ヘッドＭＲ3及びＭＲ4の一対がトラックＴ０をトレースする状態となっている。又、トラックＴ１〜Ｔｎは、ヘッドＭＲ5〜ヘッドＭＲ(2n+4)の夫々隣接している一対によってトレースされている。尚、ヘッドＭＲ1及びＭＲ2は、いずれのトラックもトレースしていない。すなわち、ヘッドＭＲ1〜ＭＲmの内でヘッドＭＲ3及びＭＲ4のみが、トラックＴ０に記録されているパイロット信号を読み取る。
【００３２】
従って、かかる状態（ａ）の状況において、トラック判定回路２８は、上記ステップＳ７の実行により、上記ヘッドＭＲ3及びＭＲ4各々に対応したパイロット検出信号ＰＬ3及びＰＬ4を取り込む。次に、上記ステップＳ８の実行により、かかるパイロット検出信号ＰＬ3及びＰＬ4各々の信号番号である"３"及び"４"の内で信号番号の大なる方、すなわち"４"を選ぶ。次に、上記ステップＳ９の実行により、この信号番号"４"に１を加算して得られた"５"をレジスタＫに記憶する。次に、上記ステップＳ１０の実行により、トラック判定回路２８は、セレクタ２９における入力端ＩＮ１〜ＩＮｍの内で、上記レジスタＫに記憶された"５"に対応した入力端ＩＮ５を選択すべき選択制御信号をセレクタ２９に供給する。かかる動作により、セレクタ２９は、ヘッドＭＲ5によって磁気テープ２４から読み取られた信号を選択的にアンプＡＰに供給することになる。次に、ステップＳ１２の実行により、上記レジスタＫに記憶された"５"に２を加算して得られた"７"をかかるレジスタＫに上書きする。この動作終了後、上記ステップＳ１０の動作に戻って上述した如き動作を繰り返し実行する。かかる繰り返し動作により、セレクタ２９は、ヘッドＭＲ5から番号１つ飛びのヘッド、すなわち、ヘッドＭＲ7、ＭＲ9、・・・、ＭＲ(2n+3)各々からの信号を順次選択してアンプＡＰに供給して行くのである。
【００３３】
ここで、図４に示されるが如き形態にて磁気テープ２４上に情報データが記録されている場合、すなわち、情報データのデータブロック長が８ビットであり、これらが８個のトラックに夫々分割して記録されている場合には、上記ステップＳ１０及びＳ１２による一連の動作が８回繰り返して実行される。この８回分の繰り返し動作が終了すると、再び、上記ステップＳ７の実行に戻る。
【００３４】
かかる動作により、先ず、図４に示されるトラックＴ１の斜線部に記録されている第１ビットＤ1に対応した信号が時分割多重化読取信号としてアンプＡＰから出力され、次に、トラックＴ２の斜線部に記録されている第２ビットＤ2に対応した信号が上記時分割多重化読取信号としてアンプＡＰから出力される。以下、同様にして、図４に示されるが如くトラックＴ３〜Ｔ８に夫々分割して記録されていた第３ビットＤ3〜第８ビットＤ8各々に対応した読取信号が、上記時分割多重化読取信号として、連結して出力されるのである。
【００３５】
又、図８の状態（ｂ）においては、ヘッドＭＲ2〜ＭＲ4の３つがトラックＴ０をトレースする状態となっている。よって、ヘッドＭＲ1〜ＭＲmの内でヘッドＭＲ2〜ＭＲ4各々が、トラックＴ０に記録されているパイロット信号の読み取りを行う。
従って、かかる状態（ｂ）の状況において、トラック判定回路２８は、上記ステップＳ７の実行により、ヘッドＭＲ2〜ＭＲ4各々に対応したパイロット検出信号ＰＬ2〜ＰＬ4を取り込む。次に、上記ステップＳ８の実行により、かかるパイロット検出信号ＰＬ2〜ＰＬ4各々の信号番号である"２"〜"４"の内で最も信号番号の大なる"４"を選ぶ。次に、上記ステップＳ９の実行により、この信号番号"４"に１を加算して得られた"５"をレジスタＫに記憶する。次に、トラック判定回路２８は、上記ステップＳ１０の実行により、セレクタ２９における入力端ＩＮ１〜ＩＮｍの内で、上記レジスタＫに記憶された"５"に対応した入力端ＩＮ５を選択すべき選択制御信号をセレクタ２９に供給する。この動作により、セレクタ２９は、ヘッドＭＲ5によって磁気テープ２４から読み取られた信号をトラックＴ１からの読取信号として選択的にアンプＡＰに供給することになる。次に、トラック判定回路２８は、上記ステップＳ１２の実行により、上記レジスタＫに記憶された"５"に２を加算して得られた"７"をかかるレジスタＫに上書きする。かかるステップＳ１２の終了後、上記ステップＳ１０の動作に戻って上述した如き動作を繰り返し実行する。かかる繰り返し動作により、セレクタ２９は、ヘッドＭＲ5から番号１つ飛びのヘッド、すなわち、ヘッドＭＲ7、ＭＲ9、・・・、ＭＲ(2n+3)各々からの信号を、夫々トラックＴ２〜Ｔｎ各々からの読取信号として、選択的にアンプＡＰに供給して行くのである。
【００３６】
又、図８の状態（ｃ）、すなわち繋ぎ録りの開始時点においては、ヘッドＭＲ5〜ＭＲ7の３つがトラックＴ０をトレースする状態となっている。よって、ヘッドＭＲ1〜ＭＲmの内でヘッドＭＲ5〜ＭＲ7各々が、トラックＴ０に記録されているパイロット信号の読み取りを行う。
従って、かかる状態（ｃ）の状況において、トラック判定回路２８は、上記ステップＳ７の実行により、上記パイロット信号検出回路２７から、パイロット検出信号ＰＬ5〜ＰＬ7を取り込む。次に、上記ステップＳ８の実行により、かかるパイロット検出信号ＰＬ5〜ＰＬ7各々の信号番号である"５"〜"７"の内で最も信号番号の大なる"７"を選ぶ。次に、上記ステップＳ９の実行により、この信号番号"７"に１を加算して得られた"８"をレジスタＫに記憶する。次に、トラック判定回路２８は、上記ステップＳ１０の実行により、セレクタ２９における入力端ＩＮ１〜ＩＮｍの内で、上記レジスタＫに記憶された"８"に対応した入力端ＩＮ８を選択すべき選択制御信号をセレクタ２９に供給する。かかるステップＳ１０の実行により、セレクタ２９は、ヘッドＭＲ8によって磁気テープ２４から読み取られた信号をトラックＴ１からの読取信号として選択的にアンプＡＰに供給することになる。次に、上記ステップＳ１２の実行により、上記レジスタＫに記憶された"８"に２を加算して得られた"１０"をかかるレジスタＫに上書きする。かかるステップＳ１２の終了後、上記ステップＳ１０の動作に戻って上述した如き動作を繰り返し実行する。かかる繰り返し動作により、セレクタ２９は、ヘッドＭＲ8から番号１つ飛びのヘッド、すなわち、ヘッドＭＲ10、ＭＲ12、・・・、ＭＲ(2n+6)各々からの信号を、夫々トラックＴ２〜Ｔｎ各々からの読取信号として、順次選択してアンプＡＰに供給して行く。このように、繋ぎ録りしたテープからでも各トラックから記録情報の読み取りを行うことが可能なのである。
【００３７】
又、図８の状態（ｄ）においては、ヘッドＭＲ6〜ＭＲ8の３つがトラックＴ０をトレースする状態となっている。よって、ヘッドＭＲ1〜ＭＲmの内でヘッドＭＲ6〜ＭＲ8各々が、トラックＴ０に記録されているパイロット信号の読み取りを行う。
従って、かかる状態（ｄ）の状況において、トラック判定回路２８は、上記ステップＳ７の実行により、上記パイロット信号検出回路２７から、パイロット検出信号ＰＬ6〜ＰＬ8を取り込む。次に、上記ステップＳ８の実行により、かかるパイロット検出信号ＰＬ6〜ＰＬ8各々の信号番号である"６"〜"８"の内で最も信号番号の大なる"８"を選ぶ。次に、上記ステップＳ９の実行により、この信号番号"８"に１を加算して得られた"９"をレジスタＫに記憶する。次に、トラック判定回路２８は、上記ステップＳ１０の実行により、セレクタ２９における入力端ＩＮ１〜ＩＮｍの内で、上記レジスタＫに記憶された"９"に対応した入力端ＩＮ９を選択すべき選択制御信号をセレクタ２９に供給する。かかるステップＳ１０の実行により、セレクタ２９は、ヘッドＭＲ9によって磁気テープ２４から読み取られた信号をトラックＴ１からの読取信号として選択的にアンプＡＰに供給することになる。次に、上記ステップＳ１２の実行により、上記レジスタＫに記憶された"９"に２を加算して得られた"１１"をかかるレジスタＫに上書きする。かかるステップＳ１２の終了後、上記ステップＳ１０の動作に戻って上述した如き動作を繰り返し実行する。かかる繰り返し動作により、セレクタ２９は、ヘッドＭＲ9から番号１つ飛びのヘッド、すなわち、ヘッドＭＲ11、ＭＲ13、・・・、ＭＲ(2n+7)各々からの信号を、夫々トラックＴ２〜Ｔｎ各々からの読取信号として、順次選択してアンプＡＰに供給して行く。
【００３８】
以上の如く、上記実施例においては、情報データを磁気テープ２４に記録するにあたり、磁気テープ２４上のトラックＴ０にパイロット信号を記録し、他のトラックに情報データの記録を行うようにしている。
又、かかる磁気テープ２４から記録情報の読取を行う再生ヘッドとしては、磁気テープ２４上に記録形成される各トラックのトラック幅の１／２のトレース幅を有する複数のＭＲヘッドを隙間なくテープ幅方向に一列に配置している。
【００３９】
ここで、かかるＭＲヘッド各々から読み取られた読取信号に基づいて、上記パイロット信号の読取を行ったＭＲヘッドを全て検出し（ステップＳ７）、この検出されたＭＲヘッドの内で最も端（トラックＴ１側）に配置されているＭＲヘッドを選択し（ステップＳ８）、このＭＲヘッドの隣り（情報データが記録されているトラック側）のＭＲヘッドから読み取られた読取信号を、トラックＴ１から読み取られた読取信号であると判別する（ステップＳ９、Ｓ１０）。更に、この判別されたＭＲヘッドの２つ隣りのＭＲヘッドから読み取られた読取信号を、トラックＴ２から読み取られた読取信号であると判別する。以下、同様にして、１つ飛びのＭＲヘッドから読み取られた読取信号を、夫々トラックＴ３、Ｔ４、・・・、Ｔｎから読み取られた読取信号であると判別して行くのである（ステップＳ１２、Ｓ１０）。
【００４０】
従って、かかる構成によれば、トラッキングサーボを必要とすることなく正常に、多数の記録トラックからの情報再生を実現することが出来るようになるのである。
尚、上記実施例においては、各トラック幅を各ヘッドのトレース幅の２倍とした為に１つ飛びのＭＲヘッドから読み取られた読取信号を各トラックから読み取られた読取信号であると判別しているが、要するに、各トラックのトラック幅がトレース幅のＮ倍（Ｎは、２以上の整数）である場合には、（Ｎ−１）個飛びに選択したヘッドから読み取られた読取信号を各トラックから読み取られた読取信号であると判別すれば良いのである。
【００４１】
又、上記図４に示される実施例においては、磁気テープ２４上に記録形成されたトラックＴ０〜Ｔ８からなる１つのトラックブロックに対して記録情報の読み取りを行う動作について説明したが、複数のトラックブロックが形成されている場合においても、同様にして各トラックブロックから情報読み取りを行うことが出来る。
【００４２】
図９は、トラックブロック１及び２に夫々別の情報データ１及び２が記録されている場合の記録形態の一例を示す図である。
図９においては、トラックブロック１の中のトラックＴ０にパイロット信号が記録されており、トラックブロック１の中のトラックＴ１〜Ｔ８各々に情報データ１が分散して記録されている。更に、トラックブロック２の中のトラックＴ９にパイロット信号が記録されており、かかるトラックブロック２の中のトラックＴ１０〜Ｔ１７各々に情報データ２が分散して記録されている。尚、これらパイロット信号各々は、互いに同一の周波数である必要はない。
【００４３】
かかる図９に示される実施例において、情報データ１に対する読取動作は、上記図５において説明したものと同様な方法である。
一方、情報データ２に対しては、以下の如き動作となる。
先ず、図９に示される状態においては、再生ヘッド２５におけるヘッドＭＲ22〜ＭＲ24の３つが、情報データ２に対応したパイロット信号の記録されているトラックＴ９をトレースする状態となっている。
【００４４】
従って、かかる状態において、情報データ２を読み取るべく上記図７に示される動作が実施されると、セレクタ２９はヘッドＭＲ25から番号１つ飛びのヘッド、すなわち、ヘッドＭＲ25、ヘッドＭＲ27、ヘッドＭＲ29、・・・、ヘッドＭＲ39各々からの信号を、夫々トラックＴ１〜Ｔ８各々からの読取信号として順次選択し、これらをアンプＡＰに供給して行くのである。
【００４５】
すなわち、情報データ２は実際には磁気テープ２４上のトラックＴ１０〜Ｔ１７に記録されているが、これを情報データ２としてのトラックＴ１〜Ｔ８と判断するのである。
よって、各トラックブロック毎にパイロット信号検出によるトラック判定を行うので、テープ幅方向に磁気テープ２４の伸縮が生じても良好に記録情報の読み取りが為されるのである。
【００４６】
尚、上記実施例においては、ヘッドＭＲ1〜ＭＲm各々によって読み取られた読取信号各々が、磁気テープ２４上のどのトラックから読み取られたものであるかを判定することにより、各トラックに対応した読取信号を選択して最終的な読取信号を得る構成としているが、かかる構成に限定されるものではない。
例えば、Ｓ／Ｎ向上を計るべく、隣接する複数のトラックからの読取信号各々を用いた重み付け演算により、最終的な読取信号を得る構成としても良い。
【００４７】
図１０は、かかる点に鑑みて為された本発明の他の実施例による情報記録再生装置の構成を示す図である。
尚、図１０に示される実施例においては、上記図２に情報記録再生装置中のトラック判定回路２８に代わりパイロット信号検出判定回路２８０を採用し、かかる図２中のセレクタ２９に代わり多重化演算回路２９０を採用したものである。
【００４８】
この際、かかる構成以外は図２と同一であるので、以下に、パイロット信号検出判定回路２８０及び多重化演算回路２９０の動作を中心にその動作を説明する。
図１１は、図１０に示される情報記録再生装置中の再生ヘッド２５、再生アンプ２６、パイロット信号検出回路２７、パイロット信号検出判定回路２８０、及び多重化演算回路２９０の構成例を示す図である。
【００４９】
又、図１２は、再生動作時におけるパイロット信号検出判定回路２８０の動作フローを示す図である。
図１２において、パイロット信号検出判定回路２８０は、先ず、パイロット信号検出回路２７のコンパレータＣＢ1〜ＣＢi各々から供給されたパイロット検出信号ＰＬ1〜ＰＬiの内から、その信号論理値が"１"となっているパイロット検出信号ＰＬの信号番号を全て選出する（ステップＳ１４）。例えば、図９の実施例においては、再生ヘッド２５中のヘッドＭＲ21〜ＭＲ23が、トラックＴ９に記録されているパイロット信号を読み取ることになるので、パイロット検出信号ＰＬ1〜ＰＬiの信号番号の内から、信号番号"２１"〜"２３"が選出されるのである。
【００５０】
次に、パイロット信号検出判定回路２８０は、この選出したものの中から最も大なる信号番号Ｊを判別する（ステップＳ１５）。次に、パイロット信号検出判定回路２８０は、検波信号ＫＰ1〜ＫＰiの内から、上記信号番号Ｊ、信号番号（Ｊ−１）及び信号番号（Ｊ−２）夫々に対応した３つの検波信号を選択させるべき選択制御信号ＳＬ１を多重化演算回路２９０のセレクタＳＥ１に供給する（ステップＳ１６）。尚、かかる検波信号ＫＰ1〜ＫＰiとは、パイロット信号検波回路Ｐ1〜Ｐi各々が、ヘッドＭＲ1〜ＭＲi各々によって読み取られた読取信号に対してパイロット信号検波を行って得られたものである。この際、検波信号ＫＰ1〜ＫＰi各々は、ヘッドＭＲ1〜ＭＲi各々によって読み取られた読取信号中に存在するパイロット信号の信号レベルに相当する。
【００５１】
かかるステップＳ１６の実行に応じて、多重化演算回路２９０のセレクタＳＥ１は、パイロット信号検波回路Ｐ1〜Ｐi各々から供給される検波信号ＫＰ1〜ＫＰiの内から、上記選択制御信号ＳＬ１によって示される３つの検波信号を選択し、これらを夫々読取パイロットレベルＳ、Ｔ、及びＵとして、係数算出回路ＡＵ１に供給する。すなわち、上記信号番号（Ｊ−２）に対応した検波信号を読取パイロットレベルＳとし、信号番号（Ｊ−１）に対応した検波信号を読取パイロットレベルＴとし、信号番号Ｊに対応した検波信号を読取パイロットレベルＵとして、夫々係数算出回路ＡＵ１に供給するのである。
【００５２】
例えば、図９に示される状態では、再生ヘッド２５中のヘッドＭＲ22〜ＭＲ24が夫々トラックＴ９に記録されているパイロット信号を読み取ることになるので、この際、信号番号Ｊ＝"２４"、信号番号（Ｊ−１）＝"２３"、信号番号（Ｊ−２）＝"２２"となる。よって、これら信号番号"２２"、"２３"、及び"２４"夫々に対応した検波信号ＫＰ22、ＫＰ23、及びＫＰ24が夫々、読取パイロットレベルＳ、Ｔ、及びＵとして係数算出回路ＡＵ１に供給されることになる。
【００５３】
ここで、パイロット信号はその波長が比較的長いので、隣接トラックに対するクロストークが多い。
そこで、かかる読取パイロットレベルＴの値を"Ｐ"、クロストークの割合をｂ、更に、ヘッドＭＲ22及びＭＲ24各々の情報読取面がパイロット信号の記録されているトラックをトレースする割合を夫々ａ及び（１−ａ）とすると、
【００５４】
【数２】
Ｓ＝ａ・Ｐ＋ｂ・Ｐ
Ｔ＝Ｐ
Ｕ＝（１−ａ）Ｐ＋ｂ・Ｐ
となる。
【００５５】
係数算出回路ＡＵ１は、これら読取パイロットレベルＳ、Ｔ、及びＵに基づいて、上記"ａ"、及び"（１−ａ）"を夫々求めこれらを読取信号生成回路ＡＵ２に供給する。
図１３は、かかる係数算出回路ＡＵ１の内部構成を示す図である。
図１３に示されるが如く、係数算出回路ＡＵ１においては、加算減算器ＡＤ１、除算器Ｗ１、及び乗算器Ｍ１なる構成により、下記の如き演算を行って演算結果ａを求める。
【００５６】
【数３】
ａ＝（Ｓ＋Ｔ−Ｕ）／２Ｔ
更に、加算減算器ＡＤ２、除算器Ｗ２、及び乗算器Ｍ２なる構成により、下記の如き演算を行って演算結果（１−ａ）を求める。
【００５７】
【数４】
（１−ａ）＝（−Ｓ＋Ｔ＋Ｕ）／２Ｔ
次に、パイロット信号検出判定回路２８０は、上記信号番号Ｊの値を１だけインクリメントすると共に、初期の読取トラック番号Ｈとして"１"を設定する（ステップＳ１７）。
【００５８】
次に、パイロット信号検出判定回路２８０は、バンドパスフィルタＢＢ1〜ＢＢm各々から供給される信号の内から、上記信号番号（Ｊ−２）、信号番号（Ｊ−１）、信号番号Ｊ、信号番号（Ｊ＋１）及び信号番号（Ｊ＋２）夫々に対応した５つの信号を選択すべき選択制御信号ＳＬ２を多重化演算回路２９０のセレクタＳＥ２に供給する（ステップＳ１８）。かかるステップＳ１８の実行に応じて、セレクタＳＥ２は、バンドパスフィルタＢＢ1〜ＢＢm各々から供給される信号の内から、上記信号番号（Ｊ−２）、信号番号（Ｊ−１）、信号番号Ｊ、信号番号（Ｊ＋１）及び信号番号（Ｊ＋２）夫々に対応した５つの信号を選択し、これらを夫々読取信号Ｂ、Ｃ、Ｄ、Ｅ、及びＦとして読取信号生成回路ＡＵ２に供給する。
【００５９】
図１４は、かかる係数算出回路ＡＵ２の内部構成を示す図である。
図１４に示されるが如く、係数算出回路ＡＵ２においては、加算器ＡＤ３、乗算器Ｍ３、Ｍ４、減算器ＳＢ１なる構成により、下記の如き演算を行って得られた信号を時分割多重化読取信号として図１０におけるＡ／Ｄ変換器１１に供給する。
【００６０】
【数５】
時分割多重化読取信号＝Ｃ＋Ｄ＋Ｅ−（１−ａ）・Ｂ−ａ・Ｆ
次に、パイロット信号検出判定回路２８０は、上記読取トラック番号Ｈにて示される読取トラック番号が、"ｔ"と等しいか否かを判定する（ステップＳ１９）。尚、"ｔ"は、１トラックブロック内に形成されているトラック数である。かかるステップＳ１９において、読取トラック番号Ｈが、"ｔ"と等しくないと判定された場合、パイロット信号検出判定回路２８０は、上記信号番号Ｊを２だけインクリメントすると共に、上記読取トラック番号Ｈを１だけインクリメントする（ステップＳ２０）。かかるステップＳ２０の実行後、パイロット信号検出判定回路２８０は、前述した如きステップＳ１８の実行に戻る。一方、かかるステップ１９において、読取トラック番号Ｈが、"ｔ"と等しいと判定された場合、パイロット信号検出判定回路２８０は、次に、図１０に示される制御部３００から再生動作終了指令が発令されたか否かの判定を行う（ステップＳ２１）。かかるステップＳ２１において、再生動作終了指令が発令されていないと判定された場合、パイロット信号検出判定回路２８０は、上述した如きステップＳ１４の実行に戻る。一方、ステップＳ２１において、再生動作終了指令が発令されたと判定された場合、パイロット信号検出判定回路２８０は、この動作フローを抜けて、かかる動作を終了する。
【００６１】
以下に、上記図１２に示される制御によって為される動作について、図１５を用いて説明する。
図１５に示されるように、再生ヘッド２５中のヘッド各々の幅（磁気テープ２４のテープ幅方向における幅）が、各トラック幅の１／２であると、１つのトラックに対し、互いに隣接する３つのヘッドがトレースを行うことになる。この際、３つのヘッドの内、中央のヘッドはトレースしたトラックのみから記録情報の読取を行い、一方、両端のヘッドはこのトラックに隣接するトラックに跨って情報読み取りを行うことになる。
【００６２】
例えば、図１５に示される再生ヘッド２５中のヘッドＤは、トラックＹからのみ記録情報の読み取りを行って、
【００６３】
【数６】
読取信号Ｄ＝ＲY
を得る。
一方、かかるヘッドＤの一方に隣接するヘッドＣは、このトラックＹ、並びにトラックＸ各々から、ａ：（１−ａ）の比率で情報読取を行って、
【００６４】
【数７】
読取信号Ｃ＝ａ・ＲY＋（１−ａ）・ＲX
を得る。
又、かかるヘッドＤの他方に隣接するヘッドＥは、このトラックＹ、並びにトラックＺ各々から、ａ：（１−ａ）の比率で情報読取を行って、
【００６５】
【数８】
読取信号Ｅ＝（１−ａ）・ＲY・＋ａ・ＲZ
を得る。
従って、これら３つのヘッドＣ〜Ｅによって読み取られた読取信号を夫々加算すると、
【００６６】
【数９】
Ｃ＋Ｄ＋Ｅ＝２ＲY＋（１−ａ）・ＲX＋ａ・ＲZ
となる。
この際、ＲXは、図１５におけるヘッドＢによって読み取られた読取信号であり、又、ＲZは、ヘッドＦによって読み取られた読取信号であるので、
【００６７】
【数１０】
Ｃ＋Ｄ＋Ｅ＝２ＲY＋（１−ａ）・Ｂ＋ａ・Ｆ
となる。
よって、
【００６８】
【数１１】
２ＲY＝Ｃ＋Ｄ＋Ｅ−（１−ａ）・Ｂ−ａ・Ｆ
と表すことが出来る。
かかる演算は、図１１に示される読取信号生成回路ＡＵ２にて実施される。読取信号生成回路ＡＵ２では、この演算によって求められた２ＲYを前述した如き時分割多重化読取信号として出力するのである。
【００６９】
尚、かかる数式中の（１−ａ）及びａ各々は、磁気テープ２４から読み取られて検波されたパイロット信号に基づいて求めるのである。
例えば、図１５において、斜線部の如きパイロット信号が記録されているトラックＰのトレースを行うヘッドは、ヘッドＳ、ヘッドＴ、及びヘッドＵである。尚、パイロット信号は、情報データに比して波長が長いので、隣接トラックへのクロストークが生じる。そこで、かかるクロストークの割合をｂとすると、
ヘッドＳによって読み取られ、更に検波して得られるパイロット信号成分Ｓは、
【００７０】
【数１２】
Ｓ＝ａ・Ｐ＋ｂ・Ｐ
となる。
同様に、ヘッドＴによって得られるパイロット信号成分Ｔは、
【００７１】
【数１３】
Ｔ＝Ｐ
となる。
更に、ヘッドＵによって得られるパイロット信号成分Ｕは、
【００７２】
【数１４】
Ｕ＝（１−ａ）・Ｐ＋ｂ・Ｐ
となる。
これらの式より、
【００７３】
【数１５】
ａ＝（Ｓ＋Ｔ−Ｕ）／２Ｔ
（１−ａ）＝（−Ｓ＋Ｔ＋Ｕ）／２Ｔ
が夫々求まる。
上記（１−ａ）及びａ各々を求める演算は、前述した如く、図１１に示される係数算出回路ＡＵ１にて実施される。
【００７４】
以上の如く、上記図１１に示される構成においては、１トラックから読み取られるべき読取信号を、５つの互いに隣接するヘッド各々によって読み取られた読取信号に基づいて求めるようにしているので、Ｓ／Ｎ向上を計ることが出来るのである。
又、上記図１１及び図６においては、トラック幅に対して再生ヘッド各々の幅を１／２とした場合における実施例を示したが、かかる構成に限定されるものではない。
【００７５】
図１６は、トラック幅に対する再生ヘッド各々の幅を１／ｗ（ｗは、２以上の自然数）とした場合における再生ヘッド２５、再生アンプ２６、パイロット信号検出回路２７、トラック判定回路２８、及びセレクタ２９の構成の一例を示す図である。
図１６において、再生ヘッド２５には、ω個の再生用のヘッドＭＲ1〜ＭＲωが設けられている。ヘッドＭＲ'1〜ＭＲ'ωの各々は、磁気テープ２４上に記録形成された図３に示されるが如き各トラックのトラック幅ＰTの１／ｗの幅であり、互いに隣接してテープ幅方向に一列に配列されている。つまり、１トラックの幅に、ｗ個のヘッドＭＲ'が一列に並ぶことになる。
【００７６】
再生ヘッド２５に設けられている差動アンプＣＡ1〜ＣＭωの各々は、ヘッドＭＲ'1〜ＭＲ'ω各々の出力の電圧差分を求めこれを読取信号Ｒ1〜Ｒωとして再生アンプ２６におけるアンプＲＡ1〜ＲＡωに供給する。アンプＲＡ1〜ＲＡω各々は、読取信号Ｒ1〜Ｒω各々を所望に増幅して増幅読取信号ＺＲ1〜ＺＲωを夫々得る。バンドパスフィルタＢＢ1〜ＢＢω各々は、上記増幅読取信号ＺＲ1〜ＺＲωから夫々情報データ帯域の信号を抽出したものを読取情報データ信号としてセレクタ２９’における入力端ＩＮ1〜ＩＮωの各々に供給する。
【００７７】
尚、図中のバンドパスフィルタＢＡ1〜ＢＡi、パイロット信号検波回路Ｐ1〜Ｐi、及びコンパレータＣＢ1〜ＣＢiからなるパイロット信号検出回路２７の動作は、図６に示されているものと同一であるので、詳細な説明は省略する。
パイロット信号検出回路２７は、上記読取信号Ｒ1〜Ｒi各々に対して、パイロット信号の検波を行って得られたパイロット検出信号ＰＬ1〜ＰＬi各々をトラック判定回路２８’に供給する。
【００７８】
トラック判定回路２８’は、これらパイロット検出信号ＰＬ1〜ＰＬi各々の信号論理値に基づいて、上記ヘッドＭＲ'1〜ＭＲ'ω各々が、図３に示されるが如き磁気テープ上のトラックＴ０〜Ｔｎのいずれを読み取ったかを判定する。トラック判定回路２８’は、この判定結果に応じた選択制御信号を生成してこれをセレクタ２９’に供給する。
【００７９】
セレクタ２９’は、上記トラック判定回路２８から供給された選択制御信号に従って、入力端ＩＮ1〜ＩＮωの内から（ｗ−１）個を選択し、これらを加算器ＡＤ１０に供給する。尚、ｗは、上述した如く、１トラックピッチ内に配列されるヘッドの数である。加算器ＡＤ１０は、セレクタ２９’によって選択された（ｗ−１）個の信号を加算して得られた信号を時分割多重化読取信号とし、これを図２に示されるＡ／Ｄ変換器１１に供給する。
【００８０】
次に、トラック判定回路２８’及びセレクタ２９’の動作について、図１７の一例を用いて説明する。
尚、図１７においては、磁気テープ２４に記録形成されている各トラックのトラック幅に対して、再生ヘッド２５中の各ヘッドＭＲ'の幅を１／４とした場合を例にとっている。従って、この際、上記ｗ＝４となり、それ故にセレクタ２９’は、入力端ＩＮ1〜ＩＮωの内から（ｗ−１）個としての３個を選択し、これらを加算器ＡＤ１０に供給することになる。
【００８１】
先ず、各トラックと再生ヘッド２５との相対位置関係が図１７における状態（ａ）の場合について説明する。
かかる状態（ａ）では、斜線部に示されるが如きパイロット信号の記録されているトラックＴ０を、再生ヘッド２５中のヘッドＭＲ'1〜ＭＲ'5がトレースする状態となっている。
【００８２】
この際、パイロット信号検出回路２７は、論理値"１"のパイロット検出信号ＰＬ1〜ＰＬ5各々をトラック判定回路２８’に供給することになる。
トラック判定回路２８’は、これらパイロット検出信号ＰＬ1〜ＰＬ5各々の信号番号である"１"〜"５"の内で最も信号番号の大なる"５"に１を加算して得られた"６"を初期信号番号ＳＮとして得る。ここで、トラック判定回路２８’は、かかる初期信号番号ＳＮとしての"６"を含んで連続した３つ分の信号番号"６"〜"８"に対応した入力端ＩＮ６〜ＩＮ８各々を選択させるべき選択制御信号をセレクタ２９’に供給する。かかる選択制御信号に従って、セレクタ２９’は、その入力端ＩＮ１〜ＩＮωの内で、入力端ＩＮ６〜ＩＮ８各々に供給されてきた読取情報データ信号を選択し、これらを同時に加算器ＡＤ１０に供給する。加算器ＡＤ１０は、セレクタ２９’から供給されてきた３つの読取情報データ信号を夫々加算したものを、トラックＴ１から読み取られた時分割多重化読取信号として出力する。次に、トラック判定回路２８’は、上記初期信号番号ＳＮとしての"６"に"４"を加算して信号番号"１０"を得る。ここで、トラック判定回路２８’は、かかる信号番号"１０"を含んで連続した３つ分の信号番号"１０"〜"１２"に対応した入力端ＩＮ１０〜ＩＮ１２を選択させるべき選択制御信号をセレクタ２９’に供給する。かかる選択制御信号に従って、セレクタ２９’は、その入力端ＩＮ１〜ＩＮωの内から、入力端ＩＮ１０〜ＩＮ１２各々に供給されてきた読取情報データ信号を選択し、これらを同時に加算器ＡＤ１０に供給する。加算器ＡＤ１０は、セレクタ２９’から供給されてきた３つの読取情報データ信号を夫々加算したものを、トラックＴ２から読み取られた時分割多重化読取信号として出力する。
【００８３】
以下、同様にして、セレクタ２９’の入力端ＩＮ（２＋４ｎ）〜ＩＮ（４＋４ｎ）各々に供給された３つの読取情報データ信号各々を加算したものを、トラックＴｎから読み取られた時分割多重化読取信号として順次出力して行くのである。
又、図１７における状態（ｂ）では、斜線部に示されるが如きパイロット信号の記録されているトラックＴ０を、再生ヘッド２５中のヘッドＭＲ'3〜ＭＲ'7がトレースする状態となっている。
【００８４】
この際、パイロット信号検出回路２７は、論理値"１"のパイロット検出信号ＰＬ3〜ＰＬ7各々をトラック判定回路２８’に供給することになる。
トラック判定回路２８’は、これらパイロット検出信号ＰＬ3〜ＰＬ7各々の信号番号である"３"〜"７"の内で最も信号番号の大なる"７"に１を加算して得られた"８"を初期信号番号ＳＮとして得る。ここで、トラック判定回路２８’は、かかる初期信号番号ＳＮとしての"８"を含んで連続した３つ分の信号番号"８"〜"１０"に対応した入力端ＩＮ８〜ＩＮ１０を選択させるべき選択制御信号をセレクタ２９’に供給する。かかる選択制御信号に従ってセレクタ２９’は、その入力端ＩＮ１〜ＩＮωの内で、入力端ＩＮ８〜ＩＮ１０各々に供給されてきた読取情報データ信号を選択し、これらを同時に加算器ＡＤ１０に供給する。加算器ＡＤ１０は、セレクタ２９’から供給されてきた３つの読取情報データ信号を夫々加算したものを、トラックＴ１から読み取られた時分割多重化読取信号として出力する。次に、トラック判定回路２８’は、上記初期信号番号ＳＮとしての"８"に"４"を加算して信号番号"１２"を得る。ここで、トラック判定回路２８’は、かかる信号番号"１２"を含んで連続した３つ分の信号番号"１２"〜"１４"に対応した入力端ＩＮ１２〜ＩＮ１４を選択させるべき選択制御信号をセレクタ２９’に供給する。かかる選択制御信号に従ってセレクタ２９’は、その入力端ＩＮ１〜ＩＮωの内から、入力端ＩＮ１２〜ＩＮ１４各々に供給されてきた読取情報データ信号を選択し、これらを同時に加算器ＡＤ１０に供給する。加算器ＡＤ１０は、セレクタ２９’から供給されてきた３つの読取情報データ信号を夫々加算したものをトラックＴ２から読み取られた時分割多重化読取信号として出力する。
【００８５】
以下、同様にして、セレクタ２９’の入力端ＩＮ（４＋４ｎ）〜ＩＮ（６＋４ｎ）各々に供給されてきた３つの読取情報データ信号各々を加算したものを、トラックＴｎから読み取られた時分割多重化読取信号として順次出力して行くのである。
すなわち、図１６に示されるトラック判定回路２８’、セレクタ２９’、及び加算器ＡＤ１０は、ヘッドＭＲ'1〜ＭＲ'ω各々からの読取情報データ信号の内で、下式にて示される範囲内のヘッド番号ｈを有する（ｗ−１）個分のヘッド各々から読み取られた読取情報データ信号に基づいて、トラックＴｎに対応した時分割多重化読取信号を得るのである。
【００８６】
【数１６】
｛ＳＮ＋（ｎ−１）・ｗ｝≦ｈ≦｛（ＳＮ＋ｗ−２）＋（ｎ−１）・ｗ｝
尚、上記"ＳＮ"とは、前述した如きトラック判定回路２８’に供給されたパイロット検出信号ＰＬ1〜ＰＬiの各信号番号の内で最も信号番号の大なる番号に１を加算して得られた初期信号番号である。
【００８７】
図１８は、上記図１６に示される構成の変形例を示す図である。
尚、かかる図１８に示される実施例においては、ヘッドＭＲ'1〜ＭＲ'ω各々の端子電圧の差分をとる差動アンプをセレクタ２９’の出力側に設けたものである。
図１８においては、ヘッドＭＲ'1〜ＭＲ'ω各々の端子電圧を、直接、再生アンプＲＡ1〜ＲＡω、及びバンドパスフィルタＢＢ1〜ＢＢω各々を介してセレクタ２９’に供給するようにし、セレクタ２９’の後段に設けた差動アンプＣＡによって差分を取る構成としたものである。尚、パイロット信号検出回路２７に入力する信号ラインには、図１８に示されるが如く、差動アンプＣＡ1〜ＣＡmを設ける。
【００８８】
この際、セレクタ２９’は、その入力端ＩＮ１〜ＩＮωの内から、
【００８９】
【数１７】
｛ＳＮ＋（ｎ−１）・ｗ｝
にて示される端子番号の入力端ＩＮを選択し、この選択した入力端ＩＮに供給された読取情報データ信号を差動アンプＣＡの正入力端に供給する。
更に、セレクタ２９’は、その入力端ＩＮ１〜ＩＮωの内から、
【００９０】
【数１８】
｛（ＳＮ＋ｗ−２）＋（ｎ−１）・ｗ｝
にて示される入力端番号の入力端ＩＮを選択し、この選択した入力端ＩＮに供給された読取情報データ信号を差動アンプＣＡの負入力端に供給する。
差動アンプＣＡは、上記正入力端及び負入力端に供給された信号の差分を取って得られた信号を、トラックＴｎから読み取られた時分割多重化読取信号として出力する。
【００９１】
かかる構成によれば、上記図１６に示される構成に比して差動アンプの数、並びにセレクタ２９’の出力端子数を削減出来る。
ここで、上記実施例は、磁気テープ２４上に記録形成されている各トラックのトラック幅が再生ヘッド２５中の各ヘッド幅の整数倍であり、かつその倍数が予め既知であるという条件下において適用されるものである。
【００９２】
図１９は、かかる条件が満たされていない場合においても、各トラック毎に記録情報の読み取りを行うことが出来る本発明の他の実施例による情報記録再生装置の構成を示す図である。
かかる図１９に示される情報記録再生装置においては、記録媒体としての磁気テープ２４に情報データの記録を行う記録系４００、かかる磁気テープ２４から記録情報の再生を行う再生系５００、及び、各種制御信号を発生してこれら記録系４００、再生系５００各々の制御を行う制御部６００から構成される。
【００９３】
先ず、記録系４００について説明する。
エラーコレクションエンコーダ１は、記録すべき情報データに対して例えばリードソロモン符号の如き誤り訂正符号化処理を行って、得られた符号化情報データを変調ＳＹＮＣ挿入器２に供給する。この際、かかる情報データは、シリアル形態のディジタルデータである。変調ＳＹＮＣ挿入器２は、上記エラーコレクションエンコーダ１から供給された符号化情報データを８−１０変調し、更にそのフレーム毎に基準信号を付加して得られた変調データを記録電流設定回路３に供給する。記録電流設定回路３は、かかる変調データに基づいて、後述する記録ヘッド２３を最適な電流値で駆動する為の記録データ信号を生成し、これをセレクタ４に供給する。セレクタ４は、ｎ個の出力端を有し、上記記録電流設定回路３から供給された記録データ信号を、これらｎ個の出力端のいずれかから選択的に出力する。
【００９４】
パイロット信号生成回路２０は、基準クロック発生回路１９によって発生した発振信号に基づいて、所定周波数のパイロット信号を生成し、これを記録電流設定回路２１に供給する。尚、かかるパイロット信号の波長は、記録データ信号の波長の１０〜５０倍程度にする。記録電流設定回路２１は、かかるパイロット信号に基づいて、記録ヘッド１２３を最適な電流値で駆動する為の記録パイロット信号を生成し、これを記録アンプ２２に供給する。記録アンプ２２は、上記セレクタ４のｎ個の出力端各々から供給された信号、及び上記記録パイロット信号を夫々所望に増幅し、これらを記録ヘッド１２３に供給する。
【００９５】
図２０は、図１９に示されるセレクタ４、記録アンプ２２、及び記録ヘッド１２３各々の詳細な構成の一例を示す図である。
図２０に示されるが如く、セレクタ４は、上記記録電流設定回路３からの記録データ信号を選択的に出力するｎ個のスイッチＲＳ1〜ＲＳnから構成される。これらスイッチＲＳ1〜ＲＳnの各々は、制御部６００から供給される切換制御信号に応じて、夫々個別にＯＮ・ＯＦＦ制御される。スイッチＲＳ1〜ＲＳn各々の出力端ＯＵ1〜ＯＵnは、記録アンプ２２としてのアンプＷＡ1〜ＷＡnに夫々接続されている。アンプＷＡ1〜ＷＡn各々は、上記出力端ＯＵ1〜ＯＵn各々からの信号を所望に増幅して、夫々、記録ヘッド１２３における磁気ヘッドＷＨ1〜ＷＨnに供給する。磁気ヘッドＷＨ1〜ＷＨnは、アンプＷＡ1〜ＷＡn各々からの信号を磁気テープ２４に記録して行くことにより、磁気テープ２４上にトラックＴ１〜Ｔｎ各々を形成して行く。
【００９６】
一方、記録電流設定回路２１からの記録パイロット信号は、アンプＷＡ0によって所望に増幅されて磁気ヘッドＷＨ0及びＷＨn+1に夫々供給される。磁気ヘッドＷＨ0は、かかるアンプＷＡ0からの信号を磁気テープ２４に記録して行くことにより、磁気テープ２４上にトラックＴ０を記録形成して行く。又、磁気ヘッドＷＨn+1は、かかるアンプＷＡ0からの信号を磁気テープ２４に記録して行くことにより、磁気テープ２４上にトラックＴn+1を記録形成して行く。
【００９７】
図２１は、かかる記録系４００によって為される記録動作の一例を示す図である。
尚、かかる図２１に示される実施例においては、１つのデータブロック長が８ビット（Ｄ1〜Ｄ8）からなる記録データ信号を磁気テープ２４上のトラックＴ１〜Ｔ８に分散して記録する際の動作例を示す図である。
【００９８】
図２１に示されるが如く、記録データ信号におけるデータブロック１中の第１ビットＤ11がセレクタ４に供給されている期間中、制御部６００は、セレクタ４のスイッチＲＳ1をＯＮ状態にすべく、論理値"０"のＲＳ1ＯＮ信号を切換制御信号としてセレクタ４に供給する。かかる動作により、磁気テープ２４上のトラックＴ１にデータブロック１中の第１ビットＤ11が記録される。
【００９９】
次に、記録データ信号におけるデータブロック１中の第２ビットＤ12がセレクタ４に供給されると、制御部６００は、セレクタ４のスイッチＲＳ1をＯＦＦ状態に戻すべく、論理値"１"のＲＳ1ＯＮ信号をセレクタ４に供給する。これと同時に、制御部６００は、この第２ビットＤ12が供給されている間、セレクタ４のスイッチＲＳ2をＯＮ状態にすべく、論理値"０"のＲＳ2ＯＮ信号を切換制御信号としてセレクタ４に供給する。かかる動作により、磁気テープ２４上のトラックＴ２に、データブロック１中の第２ビットＤ12が記録される。
【０１００】
次に、記録データ信号におけるデータブロック１中の第３ビットＤ13がセレクタ４に供給されると、制御部６００は、セレクタ４のスイッチＲＳ2をＯＦＦ状態に戻すべく、論理値"１"のＲＳ2ＯＮ信号をセレクタ４に供給する。これと同時に、制御部６００は、この第３ビットＤ13が供給されている間、セレクタ４のスイッチＲＳ3をＯＮ状態にすべく、論理値"０"のＲＳ3ＯＮ信号を切換制御信号としてセレクタ４に供給する。かかる動作により、磁気テープ２４上のトラックＴ３に、データブロック１中の第３ビットＤ13が記録される。
【０１０１】
以下、同様な方法によって、セレクタ４のスイッチＲＳ3〜スイッチＲＳ8を順次ＯＮ状態にして行き、データブロック１中の第４ビットＤ14〜第８ビットＤ18を、夫々トラックＴ４〜Ｔ８に記録して行く。かかるデータブロック１の第８ビットＤ8がセレクタ４に供給されると、次のデータブロック２における第１ビットＤ21がセレクタ４に供給される。ここで、制御部６００は、上述した如き動作を繰り返し実行することにより、データブロック２の第１ビットＤ21〜第８ビットＤ28を、夫々トラックＴ１〜Ｔ８に記録して行くのである。
【０１０２】
かかる記録データ信号がトラックＴ１〜Ｔ８に記録されている間、トラックＴ０及びトラックＴ９には、図中の斜線にて示されるが如く、第１パイロット信号及び第２パイロット信号が夫々記録される。尚、これら第１パイロット信号及び第２パイロット信号各々は、互いに同一の周波数である必要はない。
すなわち、記録データ信号が記録されることになるトラック群の前後のトラックに、夫々第１及び第２パイロット信号の記録を行うのである。尚、複数の情報データ各々に対応した記録データ信号を、互いに異なるトラックブロックに記録する場合には、図２２に示されるが如く、パイロット信号を記録するトラックを共有化しても良い。
【０１０３】
次に、かかる磁気テープから記録情報の再生を行う構成、すなわち、上記図１９に示されている再生系５００について説明する。
図２３は、かかる再生系５００における再生ヘッド１２５及び再生アンプ１２６の詳細な構成を示す図である。
図２３において、再生ヘッド１２５には、夫々独立したＭＲ（磁気抵抗）型のヘッドＭＭＲ1〜ＭＭＲm、並びに差動アンプＣＡ1〜ＣＭmが設けられている。差動アンプＣＡ1〜ＣＭmは、ヘッドＭＭＲ1〜ＭＭＲm各々の出力の電圧差分を求めこれを読取信号Ｒ1〜Ｒmとして再生アンプ１２６としてのアンプＲＡ1〜ＲＡmに供給する。アンプＲＡ1〜ＲＡm各々は、これら読取信号Ｒ1〜Ｒm各々を所望に増幅して得られた増幅読取信号ＺＲ1〜ＺＲmを読取信号多重化演算回路１２７に供給する。
読取信号多重化演算回路１２７は、増幅読取信号ＺＲ1〜ＺＲmに基づいて所望の演算（後述する）を施すことにより時分割多重化読取信号を求めこれをＡ／Ｄ変換器１１に供給する。Ａ／Ｄ変換器１１は、かかる時分割多重化読取信号をサンプリングしてディジタル値に変換しイコライザ１２に供給する。イコライザ１２は、かかるディジタル値における符号間干渉を補償すべく波形等化を行って得られた補償ディジタル値をＰＬＬ回路１３に供給する。ＰＬＬ回路１３は、かかる補償ディジタル値に基づいて、テープ速度変動による読取信号の周波数変化、及び位相変化に追従した再生クロック信号を生成する。復号回路１４は、かかる再生クロック信号のタイミングにて、上記補償ディジタル値に対して２値判定を行い、得られた２値信号を復調ＳＹＮＣ検出回路１５に供給する。復調ＳＹＮＣ検出回路１５は、かかる２値信号中からフレーム毎の基準信号の検出を行い、更に、この２値信号を８−１０復調して得られた復調データをエラーコレクションデコーダ１６に供給する。エラーコレクションデコーダ１６は、検出された基準信号に応じて、上記復調データに対して誤り訂正を行い、この訂正されたデータを再生データとして出力する。
【０１０４】
次に、上記読取信号多重化演算回路１２７の動作について説明する。
尚、かかる読取信号多重化演算回路１２７は、磁気テープ２４上に記録形成されている各トラックのトラック幅が再生ヘッド２５中の各ヘッド幅の整数倍ではなく、更に、その倍数が既知ではない状態においても、正確に各トラック毎に対応した読取信号を得る為の回路である。
【０１０５】
図２４は、かかる読取信号多重化演算回路１２７の内部構成を示す図である。図２４において、バンドパスフィルタＢＰ1〜ＢＰf各々は、上記再生アンプ１２６から出力された増幅読取信号ＺＲ1〜ＺＲf各々からパイロット信号帯域の信号を抽出してパイロット信号検波回路Ｐ1〜Ｐfに夫々供給する。尚、これら増幅読取信号ＺＲ1〜ＺＲfの各々は、ヘッドＭＭＲ1〜ＭＭＲmの内で、図２１に示されるが如き第１パイロット信号が記録されているトラックＴ０をトレースすると予測される全てのヘッドＭＭＲ1〜ＭＭＲfからのものである。
【０１０６】
パイロット信号検波回路Ｐ1〜Ｐf各々は、上記バンドパスフィルタＢＰ1〜ＢＰfから供給された信号から夫々パイロット信号の検波を行って得られた検波信号ＫＰ1〜ＫＰfをコンパレータＣＢ1〜ＣＢfに供給する。コンパレータＣＢ1〜ＣＢfの各々は、検波信号ＫＰ1〜ＫＰf各々の信号レベルが所定レベルＶ1よりも大なる場合には、例えば、論理値"１"のパイロット検出信号ＰＬを発生する一方、所定レベルＶ1よりも小なる場合には論理値"０"のパイロット検出信号ＰＬを発生する。コンパレータＣＢ1〜ＣＢfの各々は、上述の如き論理値を有するパイロット検出信号ＰＬ1〜ＰＬf各々をパイロット検出ヘッド判定回路ＰＫ１に供給する。
【０１０７】
パイロット検出ヘッド判定回路ＰＫ１は、先ず、パイロット検出信号ＰＬ1〜ＰＬfの中から、論理値"１"のパイロット検出信号ＰＬを全て抽出する。次に、この抽出したパイロット検出信号ＰＬの内で最も小なる信号番号を判定し、この判定した信号番号に対応したヘッド番号情報ｓをピッチ算出回路ＡＵ５に供給する。更に、パイロット検出ヘッド判定回路ＰＫ１は、論理値"１"のパイロット検出信号ＰＬが得られた検波信号ＫＰを全て選択すべき選択制御信号をセレクタＳＥ３に供給する。
【０１０８】
セレクタＳＥ３は、検波信号ＫＰ1〜ＫＰfの中から、上記選択制御信号に応じた検波信号ＫＰを全て選択してこれらを係数初期値算出回路ＡＵ６に供給する。バンドパスフィルタＢＦ1〜ＢＦf各々は、上記再生アンプ１２６から出力された増幅読取信号ＺＲr〜ＺＲ(r+f)各々からパイロット信号帯域の信号を抽出してパイロット信号検波回路ＰＰ1〜ＰＰfの各々に供給する。尚、これら増幅読取信号ＺＲr〜ＺＲ(r+f)各々は、ヘッドＭＭＲ1〜ＭＭＲmの内で、図２１に示されるが如き第２パイロット信号が記録されているトラックをトレースすると予測される全てのヘッドＭＭＲr〜ＭＭＲ(r+f)からのものである。
【０１０９】
パイロット信号検波回路ＰＰ1〜ＰＰf各々は、上記バンドパスフィルタＢＦ1〜ＢＦfから供給された信号から夫々パイロット信号の検波を行って得られた検波信号をコンパレータＣＣ1〜ＣＣfに夫々供給する。コンパレータＣＣ1〜ＣＣfの各々は、上記検波信号各々の信号レベルが所定レベルＶ1よりも大なる場合には、例えば、論理値"１"のパイロット検出信号ＰＬを発生する一方、所定レベルＶ1よりも小なる場合には論理値"０"のパイロット検出信号ＰＬを発生する。コンパレータＣＢ1〜ＣＢfの各々は、上述の如き論理値を有するパイロット検出信号ＰＰ1〜ＰＰf各々をパイロット検出ヘッド判定回路ＰＫ２に供給する。
【０１１０】
パイロット検出ヘッド判定回路ＰＫ２は、先ず、パイロット検出信号ＰＰ1〜ＰＰfの中から、論理値"１"のパイロット検出信号ＰＰを全て抽出する。次に、この抽出したパイロット検出信号ＰＰの内で最も大なる信号番号を判定し、この判定した信号番号に対応したヘッド番号情報ｔをピッチ算出回路ＡＵ５に供給する。
【０１１１】
ピッチ算出回路ＡＵ５は、１つのトラックブロック内に形成されているトラック数ｎ、並びに上記ヘッド番号情報ｓ及びｔを用いて下記の如き演算を施すことにより、磁気テープ２４に形成されている各トラックのトラックピッチｋを求める。
【０１１２】
【数１９】
ｋ〜（ｔ−ｓ）／（ｎ＋２）
例えば、図２５に示されるが如き相対位置関係にて再生ヘッド２５が磁気テープ２４から記録情報の読み取りを行う場合、先ず、上記パイロット検出ヘッド判定回路ＰＫ１は、再生ヘッド２５中の各ヘッドの内でヘッドＭＭＲ(j-2)をパイロット検出ヘッドとして判定する。
【０１１３】
従って、この際パイロット検出ヘッド判定回路ＰＫ１は、
【０１１４】
【数２０】
ヘッド番号情報ｓ＝（ｊ−２）
なるヘッド番号情報ｓをピッチ算出回路ＡＵ５に供給することになる。
次に、上記パイロット検出ヘッド判定回路ＰＫ２は、再生ヘッド２５中の各ヘッドの内でヘッドＭＭＲ(j+10)をパイロット検出ヘッドとして判定する。
【０１１５】
従って、この際パイロット検出ヘッド判定回路ＰＫ２は、
【０１１６】
【数２１】
ヘッド番号情報ｔ＝（ｊ＋１０）
なるヘッド番号情報ｔをピッチ算出回路ＡＵ５に供給することになる。
ここで、ピッチ算出回路ＡＵ５は、情報データＸのトラック数が"３"であることから、トラックピッチｋとして、
【０１１７】
【数２２】
0003797447.tif 000002
を得る。
すなわち、図２５に示される例においては、磁気テープ２４上に記録形成されている各トラックのトラックピッチｋが、"２.４"（１ヘッドの幅を"１"とした場合）であることがわかるのである。
【０１１８】
ピッチ算出回路ＡＵ５は、かかるトラックピッチｋを係数初期値算出回路ＡＵ６及び係数算出回路ＡＵ７に夫々供給する。
係数初期値算出回路ＡＵ６は、上記セレクタＳＥ３から供給された検波信号ＫＰ、及び上記トラックピッチｋに基づいて、トラックＴ０をトレースしたヘッドの内で両端に存在する２つのヘッド各々がこのトラックＴ０をトレースした幅を夫々求める。
【０１１９】
例えば、図２５においてトラックＴ０のトレースを行えるヘッドは、ヘッドＭＭＲ(j-2)、ＭＭＲ(j-1)、及びＭＭＲjである。この際、両端のヘッドＭＭＲ(j-2)及びＭＭＲjは夫々、トラックＴ０の境界上をトレースしている。よって、ヘッドＭＭＲ(j-2)がトラックＴ０をトレースすることが出来る幅は、図２５に示されるが如く、"ａ0"であり、一方、ヘッドＭＭＲjがトラックＴ０をトレースすることが出来るトレース幅は、"ｂ0"である。
【０１２０】
係数初期値算出回路ＡＵ６は、上記トレース幅ｂ0を、以下の方法によって求める。
先ず、係数初期値算出回路ＡＵ６は、トラックＴ０の境界をトレースした両端のヘッドを除いたヘッド各々から読み取られた読取信号を夫々パイロット信号検波して得られた検波信号を、セレクタＳＥ３から供給された検波信号ＫＰ各々の中から選出し、これら選出した検波信号ＫＰ各々の平均値Ｐを求める。
【０１２１】
次に、係数初期値算出回路ＡＵ６は、かかるセレクタＳＥ３から供給された検波信号ＫＰ各々の中から、トラックＴ０の境界をトレースしたヘッド各々から読み取られた読取信号をパイロット信号検波して得られたものを選出し、これらをＰa及びＰbとする。例えば、図２５に示される一例において、トラックＴ０の境界をトレースする両端のヘッドとは、ヘッドＭＭＲ(j-2)及びＭＭＲjである。
【０１２２】
ここで、ヘッドＭＭＲがトラックＴ０をトレースする幅と、このヘッドからの読取信号をパイロット信号検波して得られた検波信号のレベルとは対応しているので、上記平均値Ｐを"１"と考えると、
【０１２３】
【数２３】
Ｐa：Ｐ＝（ａ0＋Ｃ）：１、Ｐb：Ｐ＝（ｂ0＋Ｃ）：１
と表すことが出来る。
つまり、
【０１２４】
【数２４】
ｂ0＝（Ｐb／Ｐ）−Ｃ
となる。
尚、上式における"Ｃ"とは、図２５に示されるが如き、第１パイロット信号がその隣のトラックへ漏れる幅を示すものである。
【０１２５】
次に、係数初期値算出回路ＡＵ６は、セレクタＳＥ３から供給された検波信号ＫＰを互いに加算して得られた信号レベルの総和Ｑを求める。
又、かかるＱは、
【０１２６】
【数２５】
Ｑ＝ｑ0・Ｐ＋Ｐa＋Ｐb
にて求めることが出来る。
尚、上式中のｑ0は、トラックＴ０の境界をトレースした両端のヘッドを除いたヘッドの数である。例えば、図２５に示される実施例においてｑ0は１個である。
【０１２７】
従って、かかるＱは、
【０１２８】
【数２６】
Ｑ＝ｑ0・Ｐ＋（ａ0＋Ｃ）・Ｐ＋（ｂ0＋Ｃ）・Ｐ
と表される。
よって、
【０１２９】
【数２７】
ｑ0＋ａ0＋ｂ0＝（Ｑ／Ｐ）−２Ｃ
となる。
この際、１つのヘッド幅を"１"とした場合、左辺の（ｑ0＋ａ0＋ｂ0）はトラックピッチｋに他ならないので、
【０１３０】
【数２８】
ｋ＝（Ｑ／Ｐ）−２Ｃ
となり、
【０１３１】
【数２９】
Ｃ＝（１／２）・｛（Ｑ／Ｐ）−ｋ｝
が求まる。
つまり、係数初期値算出回路ＡＵ６は、最終的には、下記の演算を実行することにより、トラックＴ０をトレースしたヘッドの内で両端に存在する２つのヘッド各々がこのトラックＴ０の境界上をトレースした幅を求め、これを初期トレース幅ｂ0として係数算出回路ＡＵ７に供給するのである。
【０１３２】
【数３０】
ｂ0＝（Ｐb／Ｐ）−（１／２）・｛（Ｑ／Ｐ）−ｋ｝
係数算出回路ＡＵ７は、かかる初期トレース幅ｂ0、及び上記ピッチ算出回路ＡＵ５によって求められたトラックピッチｋに基づいて、ヘッドＭＭＲ1〜ＭＭＲm各々からの読取信号を各トラック対応毎に順次選択すべき選択制御信号をセレクタＳＥ４に供給する。
【０１３３】
更に、係数算出回路ＡＵ７は、上記初期トレース幅ｂ0、及び上記トラックピッチｋに基づいて、各トラックＴi毎の第１境界トレース幅ａ(i+1)及び第２境界トレース幅ｂ(i-1)を夫々求める。例えば、図２５の例においてトラックＴ1での第１境界トレース幅ａ(i+1)は図中のａ2であり、第２境界トレース幅ｂ(i-1)は図中のｂ0である。すなわち、係数算出回路ＡＵ７は、トラックＴiをトレースした複数のヘッドの内で、そのトラックＴiの境界上をトレースした両端のヘッド各々がこのトラックＴiの隣のトラックをトレースした幅を上記第１境界トレース幅ａ(i+1)、及び第２境界トレース幅ｂ(i-1)として求め、これらを読取信号生成回路ＡＵ８に供給するのである。
【０１３４】
図２６は、かかる係数算出回路ＡＵ７における動作フローを示す図である。
図２６において、先ず、係数算出回路ＡＵ７は、上記係数初期値算出回路ＡＵ６から供給された初期トレース幅ｂ0を取り込み、これを第２境界トレース幅ｂ(i-1)として内蔵レジスタＷに記憶する（ステップＳ２４）。次に、係数算出回路ＡＵ７は、読取トラックを示す読取トラック番号ｉとして、初期値の"１"を設定する（ステップＳ２５）。次に、係数算出回路ＡＵ７は、上記ピッチ算出回路ＡＵ５から供給されたトラックピッチｋ、及び上記レジスタＷに記憶した内容に基づいて、
【０１３５】
【数３１】
｛ｋ−１−（Ｗの記憶内容：ｂ(i-1)）｝
なる演算を行い、得られた演算結果の整数部をｑiとして内蔵レジスタＸに記憶する一方、その小数部をｂiとして内蔵レジスタＹに記憶する（ステップＳ２６）。次に、係数算出回路ＡＵ７は、
【０１３６】
【数３２】
｛１−（Ｙの記憶内容：ｂi）｝
なる演算を行って得られた演算結果を第１境界トレース幅ａ(i+1)として内蔵レジスタＸに記憶する（ステップＳ２７）。
次に、係数算出回路ＡＵ７は、
【０１３７】
【数３３】
ｊ〜｛ｊ＋（Ｘの記憶内容：ｑi）＋１｝
にて示される信号番号各々に対応した増幅読取信号ＺＲを選択すべき選択制御信号をセレクタＳＥ４に供給する（ステップＳ２８）。かかるステップＳ２８の実行に応じてセレクタＳＥ４は、再生アンプ１２６から供給された増幅読取信号ＺＲ1〜ＺＲmの内で、上記選択制御信号に応じた増幅読取信号ＺＲj〜ＺＲ(j+qi+1)各々を同時に選択してこれらを読取信号生成回路ＡＵ８に供給する。
【０１３８】
ここで、係数算出回路ＡＵ７は、上記内蔵レジスタＷ及びＺ各々に記憶しておいた第２境界トレース幅ｂ(i-1)及び第１境界トレース幅ａ(i+1)各々を上記読取信号生成回路ＡＵ８に供給する（ステップＳ２９）。かかるステップＳ２９の実行に応じて読取信号生成回路ＡＵ８は、セレクタＳＥ４から供給された増幅読取信号ＺＲj〜ＺＲ(j+qi+1)各々を加算して総和Ｓを求める。ここで、読取信号生成回路ＡＵ８は、
【０１３９】
【数３４】
Ｓ−｛ＺＲj・ｂ(i-1)＋ＺＲ(j+qi+1)・ａ(i+1)｝
なる演算を実行して得られた演算結果をトラックＴiから読み取られた時分割多重化読取信号として図１９に示されるＡ／Ｄ変換器１１に供給するのである。例えば、図２５に示される例においては、ヘッドＭＭＲj〜ＭＭＲ(j+3)各々によって得られた増幅読取信号ＺＲj〜ＺＲ(j+3)の総和Ｓから、増幅読取信号ＺＲj・ｂ0の値、及び増幅読取信号ＺＲ(j+3)・ａ2の値を夫々減算したものが、トラックＴ1から読み取られた時分割多重化読取信号となる。
【０１４０】
次に、係数算出回路ＡＵ７は、読取トラック番号ｉが、"ｔ"と等しいか否かを判定する（ステップＳ３０）。尚、"ｔ"は、１トラックブロック内に形成されている総トラック数である。かかるステップＳ３０において、読取トラック番号ｉが、"ｔ"と等しくはないと判定されると、係数算出回路ＡＵ７は、上記内蔵レジスタＹに記憶されている内容：ｂiを新たに第２境界トレース幅ｂ(i-1)として上記内蔵レジスタＷに上書き記憶する（ステップＳ３１）。次に、係数算出回路ＡＵ７は、上記｛ｊ＋（Ｘの記憶内容：ｑi）＋１｝に"１"を加算したものをｊとする（ステップＳ３２）。次に、係数算出回路ＡＵ７は、上記読取トラック番号ｉに"１"を加算したものを新たに読取トラック番号ｉとする（ステップＳ３３）。かかるステップＳ３３の終了後、係数算出回路ＡＵ７は、上記ステップＳ２６の実行に戻って、上述した如き動作を繰り返し実行する。
【０１４１】
又、上記ステップＳ３０において、読取トラック番号ｉが、"ｔ"と等しいと判定されると、次に、係数算出回路ＡＵ７は、図１９に示される制御部６００から再生動作終了指令が発令されたか否かの判定を行う（ステップＳ３４）。かかるステップＳ３４において、再生動作終了指令が発令されていないと判定された場合、係数算出回路ＡＵ７は、上述した如きステップＳ２４の実行に戻る。一方、ステップＳ３４において、再生動作終了指令が発令されたと判定された場合、係数算出回路ＡＵ７は、このフローによる制御動作を終了する。
【０１４２】
以上の如く、図２４に示されるが如き読取信号多重化演算回路１２７によれば、磁気テープ２４上に記録形成されている各トラックのトラックピッチが再生ヘッド２５中の各ヘッド幅の整数倍ではなく、更に、その倍数が既知ではない状態においても、正確に各トラック毎に対応した読取信号を得ることが出来るのである。
【０１４３】
尚、上記図２４に示される読取信号生成回路ＡＵ８においては、トラックＴiをトレースする全てのヘッドからの増幅読取信号を用いて時分割多重化読取信号を求めるようにしているが、かかる構成に限定されるものではない。
例えば、トラックＴiをトレースするヘッドの内で、このトラックＴiの境界上をトレースする両端のヘッドを除いたヘッドからの増幅読取信号のみを用いて時分割多重化読取信号を求めるようにしても良いのである。
【０１４４】
図２７は、かかる点に鑑みて為された本発明の他の実施例による情報記録再生装置の構成を示す図である。
尚、図２７に示される構成は、係数算出回路ＡＵ７’、セレクタＳＥ４’及び読取信号生成回路ＡＵ８’を除いた他の機能モジュールは、図２４に示されるものと同一機能であるので、以下に、これら係数算出回路ＡＵ７’、セレクタＳＥ４’及び読取信号生成回路ＡＵ８’の動作を中心に説明する。
【０１４５】
図２８は、かかる係数算出回路ＡＵ７’の動作フローを示す図である。
図２８において、先ず、係数算出回路ＡＵ７’は、上記係数初期値算出回路ＡＵ６から供給された初期トレース幅ｂ0を取り込み、これを第２境界トレース幅ｂ(i-1)として内蔵レジスタＷに記憶する（ステップＳ２４０）。次に、係数算出回路ＡＵ７’は、読取トラックを示す読取トラック番号ｉとして、初期値の"１"を設定する（ステップＳ２５０）。次に、係数算出回路ＡＵ７’は、上記ピッチ算出回路ＡＵ５から供給されたトラックピッチｋ、及び上記レジスタＷに記憶した内容に基づいて、
【０１４６】
【数３５】
｛ｋ−１−（Ｗの記憶内容：ｂ(i-1)）｝
なる演算を行い、得られた演算結果の整数部をｑiとして内蔵レジスタＸに記憶する一方、その小数部をｂiとして内蔵レジスタＹに記憶する（ステップＳ２６０）。
【０１４７】
次に、係数算出回路ＡＵ７’は、
【０１４８】
【数３６】
ｊ〜｛ｊ＋（Ｘの記憶内容：ｑi）＋１｝
にて示される信号番号各々に対応した増幅読取信号ＺＲを選択すべき選択制御信号をセレクタＳＥ４’に供給する（ステップＳ２８０）。かかるステップＳ２８０の実行に応じてセレクタＳＥ４’は、再生アンプ１２６から供給された増幅読取信号ＺＲ1〜ＺＲmの内で、上記選択制御信号に応じた増幅読取信号ＺＲj〜ＺＲ(j+qi+1)各々を同時に選択してこれらを読取信号生成回路ＡＵ８’に供給する。
読取信号生成回路ＡＵ８’は、セレクタＳＥ４’から供給された増幅読取信号ＺＲj〜ＺＲ(j+qi+1)各々の内で、両端の増幅読取信号ＺＲj及びＺＲ(j+qi+1)を除いたものを全て加算して得られた値をトラックＴiから読み取られた時分割多重化読取信号として図１９に示されるＡ／Ｄ変換器１１に供給する。
【０１４９】
例えば、図２５に示される例においては、トラックＴ1をトレースしているヘッドＭＭＲj〜ＭＭＲ(j+3)の内で、両端のヘッドを除くヘッドＭＭＲ(j+1)及びＭＭＲ(j+2)各々によって得られた増幅読取信号ＺＲ(j+1)及びＺＲ(j+2)を加算して得られた値が、トラックＴ1から読み取られた時分割多重化読取信号となる。
【０１５０】
次に、係数算出回路ＡＵ７’は、読取トラック番号ｉが、"ｔ"と等しいか否かを判定する（ステップＳ３００）。尚、"ｔ"は、１トラックブロック内に形成されている総トラック数である。かかるステップＳ３００において、読取トラック番号ｉが、"ｔ"と等しくはないと判定されると、係数算出回路ＡＵ７’は、上記内蔵レジスタＹに記憶されている内容：ｂiを新たに第２境界トレース幅ｂ(i-1)として上記内蔵レジスタＷに上書き記憶する（ステップＳ３１０）。次に、係数算出回路ＡＵ７’は、上記｛ｊ＋（Ｘの記憶内容：ｑi）＋１｝に"１"を加算したものをｊとする（ステップＳ３２０）。次に、係数算出回路ＡＵ７’は、上記読取トラック番号ｉに"１"を加算したものを新たに読取トラック番号ｉとする（ステップＳ３３０）。かかるステップＳ３３０の終了後、係数算出回路ＡＵ７’は、上記ステップＳ２６０の実行に戻って、上述した如き動作を繰り返し実行する。
【０１５１】
又、上記ステップＳ３００において、読取トラック番号ｉが、"ｔ"と等しいと判定されると、次に、係数算出回路ＡＵ７’は、図１９に示される制御部６００から再生動作終了指令が発令されたか否かの判定を行う（ステップＳ３４０）。かかるステップＳ３４０において、再生動作終了指令が発令されていないと判定された場合、係数算出回路ＡＵ７’は、上述した如きステップＳ２４０の実行に戻る。一方、ステップＳ３４０において、再生動作終了指令が発令されたと判定された場合、係数算出回路ＡＵ７’は、このフローによる制御動作を終了する。
【０１５２】
すなわち、図２７に示される読取信号生成回路ＡＵ８’においては、トラックＴiをトレースするヘッドの内で、このトラックＴiの境界上をトレースする両端のヘッドを除いたヘッドからの増幅読取信号のみを用いて時分割多重化読取信号を求めるようにしたのである。
尚、上記実施例においては、磁気テープに対する情報読み取り動作について説明したが、記録媒体としては磁気テープに限定されるものではない。要するに、マルチヘッドを備えた装置であり、かつブロック単位で記録媒体に形成されるトラック幅が一定であるものであれば、１トラックづつ記録したものであっても、あるいは読み取り専用の記録媒体であっても良いのである。
【図面の簡単な説明】
【図１】  ＤＣＣデッキの磁気ヘッド部と、記録トラックとの対応関係を示す図である。
【図２】  本発明の第１実施例による情報記録再生装置の構成を示す図である。
【図３】  図２におけるセレクタ４、記録アンプ２２、記録ヘッド２３各々の詳細な構成の一例を示す図である。
【図４】  図２に示される記録系１００の記録動作時における制御部３００の動作フローを示す図である。
【図５】  図２における記録系１００による記録動作の一例を示す図である。
【図６】  図２における再生ヘッド２５、再生アンプ２６、パイロット信号検出回路２７、トラック判定回路２８、及びセレクタ２９の詳細な構成を示す図である。
【図７】  図２における再生動作時におけるトラック判定回路２８の動作フローを示す図である。
【図８】  図２におけるヘッドＭＲ1〜ＭＲm各々が磁気テープ２４上の各トラックをトレースする際の位置関係を示す図である。
【図９】  図２における情報読み取り動作を説明する為の図である。
【図１０】  本発明の第２実施例による情報記録再生装置の構成を示す図である。
【図１１】  図１０における再生ヘッド２５、再生アンプ２６、パイロット信号検出回路２７、パイロット信号検出判定回路２８０、及び多重化演算回路２９０の構成例を示す図である。
【図１２】  図１０における再生動作時におけるパイロット信号検出判定回路２８０の動作フローを示す図である。
【図１３】  図１０における係数算出回路ＡＵ１の内部構成を示す図である。
【図１４】  図１０における係数算出回路ＡＵ２の内部構成を示す図である。
【図１５】  図１２に示される動作フローによって為される動作を説明する為の図である。
【図１６】  本発明による第３実施例としての再生ヘッド２５、再生アンプ２６、パイロット信号検出回路２７、トラック判定回路２８、及びセレクタ２９の構成を示す図である。
【図１７】  図１６におけるトラック判定回路２８’及びセレクタ２９’の動作を説明する為の図である。
【図１８】  本発明による第４実施例の構成を示す図である。
【図１９】本発明による第５実施例としての情報記録再生装置の構成を示す図である。
【図２０】図１９に示されるセレクタ４、記録アンプ２２、及び記録ヘッド１２３各々の詳細な構成の一例を示す図である。
【図２１】図１９に示される記録系４００による記録動作の一例を示す図である。
【図２２】図１９に示される記録系４００による記録形態の一例を示す図である。
【図２３】図１９における再生系５００における再生ヘッド１２５及び再生アンプ１２６の詳細な構成を示す図である。
【図２４】図１９における読取信号多重化演算回路１２７の内部構成を示す図である。
【図２５】図１９に示される磁気テープ２４上の各トラックを各ヘッドがトレースする際の位置関係を示す図である。
【図２６】図１９に示される係数算出回路ＡＵ７における動作フローを示す図である。
【図２７】本発明による第６実施例としての情報記録再生装置の構成を示す図である。
【図２８】図２７に示される係数算出回路ＡＵ７’の動作フローを示す図である。
【主要部分の符号の説明】
２０  パイロット信号生成回路
２３  記録ヘッド
２４  磁気テープ
２５  再生ヘッド
２６  再生アンプ
２７  パイロット信号検出回路
２８  トラック判定回路
２９  セレクタ
１２５  再生ヘッド
１２６  再生アンプ
１２７  読取信号多重化演算回路
２８０  パイロット信号検出判定回路
２９０  多重化演算回路
【図１】
0003797447.tif 000003
【図２】
0003797447.tif 000004
【図３】
0003797447.tif 000005
【図４】
0003797447.tif 000006
【図５】
0003797447.tif 000007
【図６】
0003797447.tif 000008
【図７】
0003797447.tif 000009
【図８】
0003797447.tif 000010
【図９】
0003797447.tif 000011
【図１０】
0003797447.tif 000012
【図１１】
0003797447.tif 000013
【図１２】
0003797447.tif 000014
【図１３】
0003797447.tif 000015
【図１４】
0003797447.tif 000016
【図１５】
0003797447.tif 000017
【図１６】
0003797447.tif 000018
【図１７】
0003797447.tif 000019
【図１８】
0003797447.tif 000020
【図１９】
0003797447.tif 000021
【図２０】
0003797447.tif 000022
【図２１】
0003797447.tif 000023
【図２２】
0003797447.tif 000024
【図２３】
0003797447.tif 000025
【図２４】
0003797447.tif 000026
【図２５】
0003797447.tif 000027
【図２６】
0003797447.tif 000028
【図２７】
0003797447.tif 000029
【図２８】
0003797447.tif 000030